(57)【特許請求の範囲】
【請求項１】
印刷条件の指定や文字の入力を行う入力手段と、
前記入力手段から入力された文字等を表示する表示手段と、
前記入力手段から入力された文字等に基づき印刷手段により印刷される印刷データを生成する印刷データ生成手段とを備え、
前記印刷データ生成手段は、
連続して整列配置される複数物品の背表紙用印刷媒体の印刷範囲に印刷される図柄であって、複数物品が整列配置された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成されることを特徴とする印刷データ作成装置。
【請求項２】
全ての対になる前記第１端部と第２端部に対して前記図柄は生成され、
連続して隣り合う３以上の図柄は、位置、形状、色彩及び模様の少なくとも一つにおいて規則性を有していることを特徴とする請求項１に記載の印刷データ作成装置。
【請求項３】
前記印刷データ生成手段は、前記物品が複数連続して整列配置された状態における先頭又は末尾に位置する前記背表紙用印刷媒体の前記印刷範囲における配列方向の端部の内、他の背表紙用印刷媒体が隣接しない側の端部には、対になる前記第１端部と第２端部に生成される前記図柄とは形状、色彩、及び模様の少なくとも１つが異なる図柄のデータを生成することを特徴とする請求項１又は２に記載の印刷データ作成装置。
【請求項４】
前記印刷データ生成手段は、前記物品が複数連続して整列配置された状態における先頭又は末尾に位置する前記背表紙用印刷媒体の前記印刷範囲における配列方法の端部の内、他の背表紙用印刷媒体が隣接しない側の端部には、図柄のデータを生成しないことを特徴とする請求項１又は２に記載の印刷データ作成装置。
【請求項５】
印刷条件の指定や文字の入力を行う入力手段と、
前記入力手段から入力された文字等を表示する表示手段と、
前記入力手段から入力された文字等に基づき印刷手段により印刷される印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を新たに追加する場合において、
前記物品を追加する場所が、前記物品が複数連続して整列配置された状態における先頭又は末尾の場合は、追加する前記物品の前記背表紙用印刷媒体における前記印刷範囲の端部に印刷される前記図柄の部分のデータを追加すると共に追加する前記物品に隣接する前記物品の前記背表紙用印刷媒体における前記印刷範囲の端部に印刷される前記図柄の部分のデータのみを更新することを特徴とする印刷データ作成装置。
【請求項６】
印刷条件の指定や文字の入力を行う入力手段と、
前記入力手段から入力された文字等を表示する表示手段と、
前記入力手段から入力された文字等に基づき印刷手段により印刷される印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を新たに追加する場合において、
前記物品を追加する場所が、前記物品が複数連続して整列配置された状態における先頭又は末尾以外の場合は、追加する前記物品の前記背表紙用印刷媒体における前記印刷範囲の端部に印刷される前記図柄の部分のデータを追加すると共に追加する前記物品の両側に隣接する前記物品のうち一方または両方の前記背表紙用印刷媒体における前記印刷範囲の端部に印刷される前記図柄の部分のデータのみを更新することを特徴とする印刷データ作成装置。
【請求項７】
印刷条件の指定や文字の入力を行う入力手段と、
前記入力手段から入力された文字等を表示する表示手段と、
前記入力手段から入力された文字等に基づき印刷手段により印刷される印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を削除する場合において、
前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを更新することを特徴とする印刷データ作成装置。
【請求項８】
印刷条件の指定や文字の入力を行う入力手段と、
前記入力手段から入力された文字等を表示する表示手段と、
前記入力手段から入力された文字等に基づき印刷手段により印刷される印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を削除する場合において、
前記物品を削除する場所が、前記物品が複数連続して整列配置された状態における先頭又は末尾以外の場合は、削除する前記物品の両側に隣接する前記物品のうち一方又は両方の前記背表紙用印刷媒体における前記印刷範囲の端部に印刷される前記図柄の部分のデータのみを更新することを特徴とする印刷データ作成装置。
【請求項９】
印刷条件の指定や文字の入力を行う入力手段と、
前記入力手段から入力された文字等を表示する表示手段と、
前記入力手段から入力された文字等に基づき印刷手段により印刷される印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
前記物品が複数連続して整列配置された状態における先頭又は末尾に位置する前記背表紙用印刷媒体の前記印刷範囲における配列方法の端部の内、他の背表紙用印刷媒体が隣接しない側の端部には、図柄のデータを生成せず、
一連の前記複数物品が連続して整列配置された状態で一の前記物品を削除する場合において、
前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを消去することを特徴とする印刷データ作成装置。
【請求項１０】
請求項１乃至９のいずれかに記載の印刷データ作成装置の各種処理手段としてコンピュータを機能させるためのプログラム。
【請求項１１】
印刷条件の指定や文字の入力を行う入力手段と、
前記入力手段から入力された文字等を表示する表示手段と、
文字や図形を印刷媒体に印刷する印刷手段と、
前記印刷手段で印刷されるデータを記憶する記憶手段と、
前記印刷手段を制御する印刷制御手段と、
前記印刷手段で印刷する印刷データを生成する印刷データ生成手段とを備え、
前記印刷データ生成手段は、
連続して整列配置される複数物品の背表紙用印刷媒体の印刷範囲に印刷される図柄であって、複数物品が整列配置された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成されることを特徴とする印刷装置。
【請求項１２】
全ての対になる前記第１端部と第２端部に対して前記図柄は生成され、
連続して隣り合う３以上の図柄は、位置、形状、色彩及び模様の少なくとも一つにおいて規則性を有していることを特徴とする請求項１１に記載の印刷装置。
【請求項１３】
前記印刷データ生成手段は、前記物品が複数連続して整列配置された状態における先頭又は末尾に位置する前記背表紙用印刷媒体の前記印刷範囲における配列方向の端部の内、他の背表紙用印刷媒体が隣接しない側の端部には、対になる前記第１端部と第２端部に生成される前記図柄とは形状、色彩、及び模様の少なくとも１つが異なる図柄のデータを生成することを特徴とする請求項１１又は１２に記載の印刷装置。
【請求項１４】
前記印刷データ生成手段は、前記物品が複数連続して整列配置された状態における先頭又は末尾に位置する前記背表紙用印刷媒体の前記印刷範囲における配列方向の端部の内、他の背表紙用印刷媒体が隣接しない側の端部には、図柄のデータを生成しないことを特徴とする請求項１１又は１２に記載の印刷装置。
【請求項１５】
印刷条件の指定や文字の入力を行う入力手段と、
前記入力手段から入力された文字等を表示する表示手段と、
文字や図形を印刷媒体に印刷する印刷手段と、
前記印刷手段で印刷されるデータを記憶する記憶手段と、
前記印刷手段を制御する印刷制御手段と、
前記印刷手段で印刷する印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を新たに追加する場合において、
前記物品を追加する場所が、前記物品が複数連続して整列配置された状態における先頭又は末尾の場合は、追加する前記物品の前記背表紙用印刷媒体における前記印刷範囲の端部に印刷される前記図柄の部分のデータを追加すると共に追加する前記物品に隣接する前記物品の前記背表紙用印刷媒体における前記印刷範囲の端部に印刷される前記図柄の部分のデータのみを更新することを特徴とする印刷装置。
【請求項１６】
印刷条件の指定や文字の入力を行う入力手段と、
前記入力手段から入力された文字等を表示する表示手段と、
文字や図形を印刷媒体に印刷する印刷手段と、
前記印刷手段で印刷されるデータを記憶する記憶手段と、
前記印刷手段を制御する印刷制御手段と、
前記印刷手段で印刷する印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を新たに追加する場合において、
前記物品を追加する場所が、前記物品が複数連続して整列配置された状態における先頭又は末尾以外の場合は、追加する前記物品の前記背表紙用印刷媒体における前記印刷範囲の端部に印刷される前記図柄の部分のデータを追加すると共に追加する前記物品の両側に隣接する前記物品のうち一方または両方の前記背表紙用印刷媒体における前記印刷範囲の端部に印刷される前記図柄の部分のデータのみを更新することを特徴とする印刷装置。
【請求項１７】
印刷条件の指定や文字の入力を行う入力手段と、
前記入力手段から入力された文字等を表示する表示手段と、
文字や図形を印刷媒体に印刷する印刷手段と、
前記印刷手段で印刷されるデータを記憶する記憶手段と、
前記印刷手段を制御する印刷制御手段と、
前記印刷手段で印刷する印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を削除する場合において、
前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを更新することを特徴とする印刷装置。
【請求項１８】
印刷条件の指定や文字の入力を行う入力手段と、
前記入力手段から入力された文字等を表示する表示手段と、
文字や図形を印刷媒体に印刷する印刷手段と、
前記印刷手段で印刷されるデータを記憶する記憶手段と、
前記印刷手段を制御する印刷制御手段と、
前記印刷手段で印刷する印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
一連の前記複数物品が連続して整列配置された状態で一の前記物品を削除する場合において、
前記物品を削除する場所が、前記物品が複数連続して整列配置された状態における先頭又は末尾以外の場合は、削除する前記物品の両側に隣接する前記物品のうち一方又は両方の前記背表紙用印刷媒体における前記印刷範囲の端部に印刷される前記図柄の部分のデータのみを更新することを特徴とする印刷装置。
【請求項１９】
印刷条件の指定や文字の入力を行う入力手段と、
前記入力手段から入力された文字等を表示する表示手段と、
文字や図形を印刷媒体に印刷する印刷手段と、
前記印刷手段で印刷されるデータを記憶する記憶手段と、
前記印刷手段を制御する印刷制御手段と、
前記印刷手段で印刷する印刷データを生成する印刷データ生成手段とを備え、
前記印刷データ生成手段は、
連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、
一の前記背表紙用印刷媒体の前記印刷範囲には、一の図柄の第２端部部分と他の図柄の第１端部部分とが分離して生成され、
前記物品が複数連続して整列配置された状態における先頭又は末尾に位置する前記背表紙用印刷媒体の前記印刷範囲における配列方向の端部の内、他の背表紙用印刷媒体が隣接しない側の端部には、図柄のデータを生成せず、
一連の前記複数物品が連続して整列配置された状態で一の前記物品を削除する場合において、
前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを消去することを特徴とする印刷装置。
【請求項２０】
請求項１１乃至１９のいずれかに記載の印刷装置の各種処理手段としてコンピュータを機能させるためのプログラム。
【発明の詳細な説明】
【技術分野】
【０００１】
本発明は、印刷データ作成装置、印刷装置及びプログラムに関し、詳細には、複数物品が整列配置されているか否かを一見して把握容易とするための、背表紙用印刷媒体に印刷するデータ作成装置、印刷装置及びプログラムに関するものである。
【背景技術】
【０００２】
従来、書類を綴じる複数のファイルを整列配置するために、ファイルの背表紙の名称に一貫性を持たせたり、番号を付したりしていた。しかしながらこの方法では、ファイル等を実際に配置した際、一見しただけではファイルが整列しているか否かを把握し難いという問題があった。
【０００３】
上記問題に対し、ファイルを整列配置した際に全体として連続した像が形成される背表紙の模様を自動的に付加する背表紙作成装置が知られている（例えば、特許文献１参照。）。この模様は背表紙における右端側と左端側とが連続的に結合しているため、ファイルが整列配置することにより、隣接する背表紙に跨り一塊の像が形成される。従って本装置にて作成された背表紙を用いることにより、ファイル等を配置した際、模様の変化状況から、整列配置されているか否かを一見して把握できるようになっている。
【特許文献１】特開平８−１９２５５７号公報
【発明の開示】
【発明が解決しようとする課題】
【０００４】
しかしながら、特許文献１にて開示された文書作成装置により作成される背表紙用の模様は、背表紙に付される表題等の文字と重複してしまう可能性があり、見えづらくしてしまうという問題点があった。
【０００５】
さらに、模様をいったん背表紙に付してしまうと、整列配置状態における不特定の場所にファイル等を追加したり、削除したりする場合に、残りすべての模様を修正して背表紙を作成し直さなければならないという問題点があった。
【０００６】
本発明は、上記課題を解決するためになされたものであり、整列配置される物品の背表紙の表題記入部分と重複せず、さらに、ファイル等の追加や削除の場合において修正を最小限に抑えることができる図柄であって、ファイルが整列配置されているか否かが一見して把握容易な図柄を背表紙に印刷する、印刷データ作成装置、印刷装置及びプログラムを提供することを目的とする。
【課題を解決するための手段】
【０００７】
上記課題を解決するために、請求項１に係る発明の印刷データ作成装置では、印刷条件の指定や文字の入力を行う入力手段と、前記入力手段から入力された文字等を表示する表示手段と、前記入力手段から入力された文字等に基づき印刷手段により印刷される印刷データを生成する印刷データ生成手段とを備え、前記印刷データ生成手段は、連続して整列配置される複数物品の背表紙用印刷媒体の印刷範囲に印刷される図柄であって、複数物品が整列配置された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成されることを特徴とする。
【０００８】
また、請求項２に係る発明の印刷データ作成装置では、請求項１に記載の発明の構成に加え、全ての対になる前記第１端部と第２端部に対して前記図柄は生成され、連続して隣り合う３以上の図柄は、位置、形状、色彩及び模様の少なくとも一つにおいて規則性を有していることを特徴とする。
【０００９】
また、請求項３に係る発明の印刷データ作成装置では、請求項１又は２に記載の発明の構成に加え、前記印刷データ生成手段は、前記物品が複数連続して整列配置された状態における先頭又は末尾に位置する前記背表紙用印刷媒体の前記印刷範囲における配列方向の端部の内、他の背表紙用印刷媒体が隣接しない側の端部には、対になる前記第１端部と第２端部に生成される前記図柄とは形状、色彩、及び模様の少なくとも１つが異なる図柄のデータを生成することを特徴とする。
【００１０】
また、請求項４に係る発明の印刷データ作成装置では、請求項１又は２に記載の発明の構成に加え、前記印刷データ生成手段は、前記物品が複数連続して整列配置された状態における先頭又は末尾に位置する前記背表紙用印刷媒体の前記印刷範囲における配列方法の端部の内、他の背表紙用印刷媒体が隣接しない側の端部には、図柄のデータを生成しないことを特徴とする。
【００１１】
また、請求項５に係る発明の印刷データ作成装置では、印刷条件の指定や文字の入力を行う入力手段と、前記入力手段から入力された文字等を表示する表示手段と、前記入力手段から入力された文字等に基づき印刷手段により印刷される印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を新たに追加する場合において、前記物品を追加する場所が、前記物品が複数連続して整列配置された状態における先頭又は末尾の場合は、追加する前記物品の前記背表紙用印刷媒体における前記印刷範囲の端部に印刷される前記図柄の部分のデータを追加すると共に追加する前記物品に隣接する前記物品の前記背表紙用印刷媒体における前記印刷範囲の端部に印刷される前記図柄の部分のデータのみを更新することを特徴とする。
【００１２】
また、請求項６に係る発明の印刷データ作成装置では、印刷条件の指定や文字の入力を行う入力手段と、前記入力手段から入力された文字等を表示する表示手段と、前記入力手段から入力された文字等に基づき印刷手段により印刷される印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を新たに追加する場合において、前記物品を追加する場所が、前記物品が複数連続して整列配置された状態における先頭又は末尾以外の場合は、追加する前記物品の前記背表紙用印刷媒体における前記印刷範囲の端部に印刷される前記図柄の部分のデータを追加すると共に追加する前記物品の両側に隣接する前記物品のうち一方または両方の前記背表紙用印刷媒体における前記印刷範囲の端部に印刷される前記図柄の部分のデータのみを更新することを特徴とする。
【００１３】
また、請求項７に係る発明の印刷データ作成装置では、印刷条件の指定や文字の入力を行う入力手段と、前記入力手段から入力された文字等を表示する表示手段と、前記入力手段から入力された文字等に基づき印刷手段により印刷される印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を削除する場合において、前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを更新することを特徴とする。
【００１４】
また、請求項８に係る発明の印刷データ作成装置では、印刷条件の指定や文字の入力を行う入力手段と、前記入力手段から入力された文字等を表示する表示手段と、前記入力手段から入力された文字等に基づき印刷手段により印刷される印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を削除する場合において、前記物品を削除する場所が、前記物品が複数連続して整列配置された状態における先頭又は末尾以外の場合は、削除する前記物品の両側に隣接する前記物品のうち一方又は両方の前記背表紙用印刷媒体における前記印刷範囲の端部に印刷される前記図柄の部分のデータのみを更新することを特徴とする。
【００１５】
また、請求項９に係る発明の印刷データ作成装置では、印刷条件の指定や文字の入力を行う入力手段と、前記入力手段から入力された文字等を表示する表示手段と、前記入力手段から入力された文字等に基づき印刷手段により印刷される印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、前記物品が複数連続して整列配置された状態における先頭又は末尾に位置する前記背表紙用印刷媒体の前記印刷範囲における配列方法の端部の内、他の背表紙用印刷媒体が隣接しない側の端部には、図柄のデータを生成せず、一連の前記複数物品が連続して整列配置された状態で一の前記物品を削除する場合において、前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを消去することを特徴とする。
【００１６】
また、請求項１０に係る発明であるプログラムは、請求項１乃至９のいずれかに記載の印刷データ作成装置の各種処理手段としてコンピュータを機能させる構成となっている。
【００１７】
また、請求項１１に係る発明の印刷装置では、印刷条件の指定や文字の入力を行う入力手段と、前記入力手段から入力された文字等を表示する表示手段と、文字や図形を印刷媒体に印刷する印刷手段と、前記印刷手段で印刷されるデータを記憶する記憶手段と、前記印刷手段を制御する印刷制御手段と、前記印刷手段で印刷する印刷データを生成する印刷データ生成手段とを備え、前記印刷データ生成手段は、連続して整列配置される複数物品の背表紙用印刷媒体の印刷範囲に印刷される図柄であって、複数物品が整列配置された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成されることを特徴とする。
【００１８】
また、請求項１２に係る発明の印刷装置では、請求項１１に記載の発明の構成に加え、全ての対になる前記第１端部と第２端部に対して前記図柄は生成され、連続して隣り合う３以上の図柄は、位置、形状、色彩及び模様の少なくとも一つにおいて規則性を有していることを特徴とする。
【００１９】
また、請求項１３に係る発明の印刷装置では、請求項１１又は１２に記載の発明の構成に加え、前記印刷データ生成手段は、前記物品が複数連続して整列配置された状態における先頭又は末尾に位置する前記背表紙用印刷媒体の前記印刷範囲における配列方向の端部の内、他の背表紙用印刷媒体が隣接しない側の端部には、対になる前記第１端部と第２端部に生成される前記図柄とは形状、色彩、及び模様の少なくとも１つが異なる図柄のデータを生成することを特徴とする。
【００２０】
また、請求項１４に係る発明の印刷装置では、請求項１１又は１２に記載の発明の構成に加え、前記印刷データ生成手段は、前記物品が複数連続して整列配置された状態における先頭又は末尾に位置する前記背表紙用印刷媒体の前記印刷範囲における配列方向の端部の内、他の背表紙用印刷媒体が隣接しない側の端部には、図柄のデータを生成しないことを特徴とする。
【００２１】
また、請求項１５に係る発明の印刷装置では、印刷条件の指定や文字の入力を行う入力手段と、前記入力手段から入力された文字等を表示する表示手段と、文字や図形を印刷媒体に印刷する印刷手段と、前記印刷手段で印刷されるデータを記憶する記憶手段と、前記印刷手段を制御する印刷制御手段と、前記印刷手段で印刷する印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を新たに追加する場合において、前記物品を追加する場所が、前記物品が複数連続して整列配置された状態における先頭又は末尾の場合は、追加する前記物品の前記背表紙用印刷媒体における前記印刷範囲の端部に印刷される前記図柄の部分のデータを追加すると共に追加する前記物品に隣接する前記物品の前記背表紙用印刷媒体における前記印刷範囲の端部に印刷される前記図柄の部分のデータのみを更新することを特徴とする。
【００２２】
また、請求項１６に係る発明の印刷装置では、印刷条件の指定や文字の入力を行う入力手段と、前記入力手段から入力された文字等を表示する表示手段と、文字や図形を印刷媒体に印刷する印刷手段と、前記印刷手段で印刷されるデータを記憶する記憶手段と、前記印刷手段を制御する印刷制御手段と、前記印刷手段で印刷する印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を新たに追加する場合において、前記物品を追加する場所が、前記物品が複数連続して整列配置された状態における先頭又は末尾以外の場合は、追加する前記物品の前記背表紙用印刷媒体における前記印刷範囲の端部に印刷される前記図柄の部分のデータを追加すると共に追加する前記物品の両側に隣接する前記物品のうち一方または両方の前記背表紙用印刷媒体における前記印刷範囲の端部に印刷される前記図柄の部分のデータのみを更新することを特徴とする。
【００２３】
また、請求項１７に係る発明の印刷装置では、印刷条件の指定や文字の入力を行う入力手段と、前記入力手段から入力された文字等を表示する表示手段と、文字や図形を印刷媒体に印刷する印刷手段と、前記印刷手段で印刷されるデータを記憶する記憶手段と、前記印刷手段を制御する印刷制御手段と、前記印刷手段で印刷する印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を削除する場合において、前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを更新することを特徴とする。
【００２４】
また、請求項１８に係る発明の印刷装置では、印刷条件の指定や文字の入力を行う入力手段と、前記入力手段から入力された文字等を表示する表示手段と、文字や図形を印刷媒体に印刷する印刷手段と、前記印刷手段で印刷されるデータを記憶する記憶手段と、
前記印刷手段を制御する印刷制御手段と、前記印刷手段で印刷する印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、一連の前記複数物品が連続して整列配置された状態で一の前記物品を削除する場合において、前記物品を削除する場所が、前記物品が複数連続して整列配置された状態における先頭又は末尾以外の場合は、削除する前記物品の両側に隣接する前記物品のうち一方又は両方の前記背表紙用印刷媒体における前記印刷範囲の端部に印刷される前記図柄の部分のデータのみを更新することを特徴とする。
【００２５】
また、請求項１９に係る発明の印刷装置では、印刷条件の指定や文字の入力を行う入力手段と、前記入力手段から入力された文字等を表示する表示手段と、文字や図形を印刷媒体に印刷する印刷手段と、前記印刷手段で印刷されるデータを記憶する記憶手段と、前記印刷手段を制御する印刷制御手段と、前記印刷手段で印刷する印刷データを生成する印刷データ生成手段とを備え、前記印刷データ生成手段は、連続して整列配列される複数物品の背表紙用印刷媒体の印刷範囲に印刷される図柄であって、複数物品が整列配列された際に一の背表紙用印刷媒体における印刷範囲内の端部である第１端部と、当該第１端部と対になり第１端部に隣接する端部であって他の背表紙用印刷媒体における印刷範囲内の端部である第２端部とに跨り、前記図柄の第１端部部分及び第２端部部分が互いに形状、色彩及び模様の少なくとも一つにおいて連続性を有する図柄のデータを生成し、一の前記背表紙用印刷媒体の前記印刷範囲には、一の図柄の第２端部部分と他の図柄の第１端部部分とが分離して生成され、前記物品が複数連続して整列配置された状態における先頭又は末尾に位置する前記背表紙用印刷媒体の前記印刷範囲における配列方向の端部の内、他の背表紙用印刷媒体が隣接しない側の端部には、図柄のデータを生成せず、一連の前記複数物品が連続して整列配置された状態で一の前記物品を削除する場合において、前記物品を削除する場所が、前記物品が複数連続して整列配置された状態における先頭又は末尾の場合は、削除する前記物品に隣接する前記物品の前記背表紙用印刷媒体における前記印刷範囲の端部に印刷される前記図柄の部分のデータのみを消去することを特徴とする。
【００２６】
また、請求項２０に係る発明であるプログラムは、請求項１１乃至１９のいずれかに記載の印刷装置の各種処理手段としてコンピュータを機能させる構成となっている。
【発明の効果】
【００２７】
請求項１に係る発明の印刷データ作成装置では、連続して整列配置される複数物品の背表紙用印刷媒体に付される図柄のデータであって、一物品の背表紙用印刷媒体における印刷範囲内の端部と、これと隣接する物品の背表紙用印刷媒体における印刷範囲内の端部とに跨り、形状、色彩及び模様の少なくとも一つにおいて連続性を有する図柄のデータを作成することができる。このことにより、隣接物品どうしが整列配置されているか否かが一見して把握容易となる。
【００２８】
また、請求項２に係る発明の印刷データ作成装置では、連続して整列配置される複数物品の背表紙用印刷媒体に付され、全ての対になる印刷範囲の端部と端部に対して生成される図柄のデータであって、連続して隣り合う３以上で、位置、形状、色彩及び模様の少なくとも一つにおいて規則性を有する図柄のデータを作成することができる。このことにより、複数物品が整列配置されているか否かが一見して把握容易となる。
【００２９】
また、請求項３に係る発明の印刷データ作成装置では、請求項１又は２に係る発明の効果に加え、連続して整列配置される複数物品の先頭又は末尾に位置する背表紙用印刷媒体の印刷範囲における配列方向の端部の内、他の背表紙用印刷媒体が隣接しない側の端部には、背表紙用印刷媒体が隣接する側の端部に生成される図柄とは形状、色彩、及び模様の少なくとも１つが異なる図柄のデータを生成する。このことにより、物品が整列配置された状態における先頭又は末尾の位置が一見して把握容易となる。また、先頭又は末尾に位置する物品か否かが容易に把握できる。
【００３０】
また、請求項４に係る発明の印刷データ作成装置では、請求項１又は２に係る発明の効果に加え、連続して整列配置される複数物品の先頭又は末尾に位置する背表紙用印刷媒体の印刷範囲における配列方法の端部の内、他の背表紙用印刷媒体が隣接しない側の端部には図柄のデータを生成しない。このことにより、物品が整列配置された状態における先頭又は末尾の位置が一見して把握容易となる。また、先頭又は末尾に位置する物品か否かが容易に把握できる。
【００３１】
また、請求項５に係る発明の印刷データ作成装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を新たに追加する場合において、物品を追加する場所が、物品が複数連続して整列配置された状態における先頭又は末尾の場合は、追加する物品の背表紙用印刷媒体における印刷範囲の端部に印刷される図柄の部分のデータを追加すると共に、追加する物品に隣接する物品の背表紙用印刷媒体における印刷範囲の端部に印刷される図柄の部分のデータのみを更新する。このことにより、ラベル追加に伴いすべての物品の背表紙用印刷媒体を再編集することなく、最小限の背表紙用印刷媒体を編集するのみで、隣接物品どうしが整列配置されているか否かが一見して把握容易な図柄のデータを作成することができるため、ラベルの再印刷が抑えられ経済的である。
【００３２】
また、請求項６に係る発明の印刷データ作成装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を新たに追加する場合において、物品を追加する場所が、物品が複数連続して整列配置された状態における先頭又は末尾以外の場合は、追加する物品の背表紙用印刷媒体における印刷範囲の端部に印刷される図柄の部分のデータを追加すると共に、追加する物品の両側に隣接する物品のうち一方又は両方の背表紙用印刷媒体における印刷範囲の端部に印刷される前記図柄の部分のデータのみを更新する。このことにより、ラベル追加に伴いすべての物品の背表紙用印刷媒体を再編集することなく、隣接物品どうしが整列配置されているか否かが一見して把握容易な図柄のデータを作成することができるため、ラベルの再印刷が抑えられ経済的である。
【００３３】
また、請求項７に係る発明の印刷データ作成装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を削除する場合において、物品を削除する場所が、物品が複数連続して整列配置された状態における先頭又は末尾の場合は、削除する物品に隣接する物品の背表紙用印刷媒体における印刷範囲の端部に印刷される図柄の部分のデータのみを更新する。このことにより、ラベル削除に伴いすべての物品の背表紙用印刷媒体を再編集することなく、隣接物品どうしが整列配置されているか否かが一見して把握容易な図柄のデータを作成することができるため、ラベルの再印刷数が抑えられ経済的である。
【００３４】
また、請求項８に係る発明の印刷データ作成装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を削除する場合において、物品を削除する場所が、物品が複数連続して整列配置された状態における先頭又は末尾以外の場合は、削除する物品の両側に隣接する物品のうち一方又は両方の背表紙用印刷媒体における印刷範囲の端部に印刷される図柄の部分のデータのみを更新する。このことにより、ラベル削除に伴いすべての物品の背表紙用印刷媒体を再編集することなく、隣接物品どうしが整列配置されているか否かが一見して把握容易な図柄のデータを作成することができるため、ラベルの再印刷が抑えられ経済的である。
【００３５】
また、請求項９に係る発明の印刷データ作成装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄であり、物品が複数連続して整列配置された状態における先頭又は末尾に位置する背表紙用印刷媒体の印刷範囲における配列方法の端部の内、他の背表紙用印刷媒体が隣接しない側の端部には図柄を有さない場合であって、一連の前記複数物品が連続して整列配置された状態で一の前記物品を削除する場合において、物品を削除する場所が、物品が複数連続して整列配置された状態における先頭又は末尾の場合は、削除する物品に隣接する物品の背表紙用印刷媒体における印刷範囲の端部に印刷される図柄の部分のデータのみを消去する。このことにより、ラベル削除に伴いすべての物品の背表紙用印刷媒体を再編集することなく、隣接物品どうしが整列配置されているか否かが一見して把握容易な図柄のデータを作成することができるため、ラベルの再印刷が抑えられ経済的である。
【００３６】
また、請求項１０に係る発明のプログラムでは、請求項１乃至９のいずれかに記載の印刷データ作成装置の各種処理手段としてコンピュータを機能させることができる。
【００３７】
また、請求項１１に係る発明の印刷装置では、連続して整列配置される複数物品の背表紙用印刷媒体に付されるものであって、一物品の背表紙用印刷媒体における印刷範囲内の端部と、これと隣接する物品の背表紙用印刷媒体における印刷範囲内の端部とに跨り、形状、色彩及び模様の少なくとも一つにおいて連続性を有する図柄を印刷する。このことにより、隣接物品どうしが整列配置されているか否かが一見して把握容易となる。
【００３８】
また、請求項１２に係る発明の印刷装置では、連続して整列配置される複数物品の背表紙用印刷媒体に付される図柄であって、すべての対になる印刷媒体の印刷範囲端部に配置し、連続して隣り合う３以上が、位置、形状、色彩及び模様の少なくとも一つにおいて規則性を有する図柄を印刷する。このことにより、複数物品が整列配置されているか否かが一見して把握容易となる。
【００３９】
また、請求項１３に係る発明の印刷装置では、請求項１１又は１２に係る発明の効果に加え、複数物品が連続して整列配置された状態における先頭又は末尾に位置する背表紙用印刷媒体の印刷範囲における配列方向の端部の内、他の背表紙用印刷媒体が隣接しない側の端部には、背表紙用印刷媒体が隣接する側の端部に生成される図柄とは形状、色彩、及び模様の少なくとも１つが異なる図柄を印刷する。このことにより、物品が整列配置された状態における端の位置が一見して把握容易となる。また、先頭または末尾に位置する物品か否かが容易に把握できる。
【００４０】
また、請求項１４に係る発明の印刷装置では、請求項１１又は１２に係る発明の効果に加え、複数物品が連続して整列配置された状態における先頭又は末尾に位置する背表紙用印刷媒体の印刷範囲における配列方法の端部の内、他の背表紙用印刷媒体が隣接しない側の端部には図柄を印刷しない。このことにより、物品が整列配置された状態における端の位置が一見して把握容易となる。また、先頭または末尾に位置する物品か否かが容易に把握できる。
【００４１】
また、請求項１５に係る発明の印刷装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を新たに追加する場合において、物品を追加する場所が、物品が複数連続して整列配置された状態における先頭又は末尾の場合は、追加する物品の背表紙用印刷媒体における印刷範囲の端部に印刷される図柄の部分を印刷すると共に、追加する前記物品に隣接する物品の背表紙用印刷媒体における印刷範囲の端部に印刷される図柄の部分のみを更新して印刷する。このことにより、ラベル追加に伴いすべての物品の背表紙印刷媒体を再編集することなく、隣接物品どうしが整列配置されているか否かが一見して把握容易な図柄を印刷することができるため、ラベルの再印刷が抑えられ経済的である。
【００４２】
また、請求項１６に係る発明の印刷装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を新たに追加する場合において、物品を追加する場所が、物品が複数連続して整列配置された状態における先頭又は末尾以外の場合は、追加する物品の背表紙用印刷媒体における印刷範囲の端部に印刷される図柄の部分を印刷すると共に、追加する物品の両側に隣接する物品のうち一方又は両方の背表紙用印刷媒体における印刷範囲の端部に印刷される前記図柄の部分のみを更新して印刷する。このことにより、ラベル追加に伴いすべての物品の背表紙用印刷媒体を再編集することなく、隣接物品どうしが整列配置されているか否かが一見して把握容易な図柄を印刷することができるため、ラベルの再印刷が抑えられ経済的である。
【００４３】
また、請求項１７に係る発明の印刷装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を削除する場合において、物品を削除する場所が、物品が複数連続して整列配置された状態における先頭又は末尾の場合は、削除する物品に隣接する物品の背表紙用印刷媒体における印刷範囲の端部に印刷される図柄の部分のみを更新して印刷する。このことにより、ラベル削除に伴いすべての物品の背表紙用印刷媒体を再編集することなく、隣接物品どうしが整列配置されているか否かが一見して把握容易な図柄を印刷することができるため、ラベルの再印刷が抑えられ経済的である。
【００４４】
また、請求項１８に係る発明の印刷装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄を備える場合であって、一の物品を削除する場合において、物品を削除する場所が、物品が複数連続して整列配置された状態における先頭又は末尾以外の場合は、削除する物品の両側に隣接する物品のうち一方又は両方の背表紙用印刷媒体における印刷範囲の端部に印刷される図柄の部分のみを更新して印刷する。このことにより、ラベル削除に伴いすべての物品の背表紙用印刷媒体を再編集することなく、隣接物品どうしが整列配置されているか否かが一見して把握容易な図柄を印刷することができるため、ラベルの再印刷が抑えられ経済的である。
【００４５】
また、請求項１９に係る発明の印刷装置では、物品の背表紙用印刷媒体における印刷範囲内の端部と、これと隣接する他の物品の背表紙用印刷媒体における印刷範囲内の端部とに跨り、形状、色彩及び模様の少なくとも一つにおいて連続性を有する図柄であり、物品が複数連続して整列配置された状態における先頭又は末尾に位置する背表紙用印刷媒体の印刷範囲における配列方法の端部の内、他の背表紙用印刷媒体が隣接しない側の端部には図柄を有さない場合であって、一連の前記複数物品が連続して整列配置された状態で一の前記物品を削除する場合において、物品を削除する場所が、物品が複数連続して整列配置された状態における先頭又は末尾の場合は、削除する物品に隣接する物品の背表紙用印刷媒体における印刷範囲の端部に印刷される図柄の部分のみを消去して印刷する。このことにより、ラベル削除に伴いすべての物品の背表紙用印刷媒体を再編集することなく、隣接物品どうしが整列配置されているか否かが一見して把握容易な図柄を印刷することができるため、ラベルの再印刷数が抑えられ経済的である。
【００４６】
また、請求項２０に係る発明のプログラムでは、請求項１１乃至１９のいずれかに記載の印刷装置の各種処理手段としてコンピュータを機能させることができる。
【発明を実施するための最良の形態】
【００４７】
以下、本発明の実施の形態を図面を参照して説明する。本発明に係る「印刷データ作成装置」として、「印刷装置」に該当する印刷装置１に接続したパーソナルコンピュータ２００を例に挙げて説明する。なお、以下の説明及び参照図面は、本発明が採用しうる技術的特徴を説明するために用いるものであり、それのみに限定する趣旨ではない。
【００４８】
まず、印刷装置１及びパーソナルコンピュータ２００について図１〜図３を参照して説明する。図１は、印刷装置１のカバー５を開放した斜視図であり、図２は印刷装置１の電気的構成を示すブロック図であり、図３は、パーソナルコンピュータ２００の電気的構成を示すブロック図である。
【００４９】
図１に示すように、印刷装置１は所謂ラベルプリンタであり、その下部筐体２にカバー５が回動可能に軸支されており、下部筐体２の内部にテープ７１が装着されたロール紙ユニット７０をセットするロール紙ユニットセット機構４及び印刷機構２０が設けられている。したがって、カバー５を開放するとロール紙ユニット７０を交換することができる。詳細には、ロール紙ユニットセット機構４は下部筐体２の内部奥に、印刷機構２０は内部手前に設けられており、下部筐体２の上面手前にはテープ排出口７が設けられ、テープ排出口７の手前にはテープ受６が立設されている。また、ロール紙ユニットセット機構４において、下部筐体２の右側面には、Ｖ字型のユニット支え３が設けられている。ロール紙ユニットセット機構４にセットされたロール紙ユニット７０に装着されているテープ７１は印刷機構２０で印刷され、テープ排出口７から排出される。また、下部筐体２の上面手前部分には各種ランプ、各種操作ボタンが設けられている。
【００５０】
また、印刷機構２０には、サーマルヘッド（図示外）及びプラテンローラ（図示外）が設けられており、プラテンローラとサーマルヘッドとによって挟持された状態でテープ７１が搬送されつつ、サーマルヘッドにおける発熱素子に選択的且つ間欠的に通電されることにより、テープ表面の所定領域に所望の画像が形成される。
【００５１】
なお以下の実施の形態においては、当該印刷装置１により、棚等への配置の際に連続して整列配置される複数物品（ファイルやカセットテープ等）の背表紙に貼付する印刷媒体（以降「ラベル」という。）に表題等の文字や図柄を印刷することを想定している。
【００５２】
次に、図２を参照し、印刷装置１の電気的構成について説明する。図２に示すように、印刷装置１はその主制御を司る制御部４０を備え、制御部４０は、印刷装置１の各機器を制御するＣＰＵ５２と、このＣＰＵ５２にデータバス５１を介して接続された入出力インタフェース５０、ＲＯＭ５５、ＲＡＭ５６とから構成されている。
【００５３】
このうち、入出力インタフェース５０には、印刷に用いられるサーマルヘッド１３を駆動させるための駆動回路４８と、ラベルを切断するテープカッタ１７を動作させるためのテープカッタ駆動モータ４１を駆動させるための駆動回路４２と、テープ送りモータ４７を駆動させるための駆動回路４９と、パーソナルコンピュータ２００に接続するためのＵｎｉｖｅｒｓａｌ  Ｓｅｒｉａｌ  Ｂｕｓ（以降、「ＵＳＢ」（登録商標）と略す。）ポート２５とが各々接続されている。そして、ＵＳＢ（登録商標）ポート２５にはＵＳＢ（登録商標）ケーブルが接続され、パーソナルコンピュータ２００に接続している。また、ＲＯＭ５５には、印刷データ記憶エリアのデータを読み出してサーマルヘッド１３やテープ送りモータ４７を駆動する印刷駆動制御プログラム、サーマルヘッド１３を駆動する印刷エネルギーを決定するためのデューティ比を定めたパラメータテーブル等が格納されている。また、ＲＡＭ５６にはパーソナルコンピュータ２００から送信された印刷データ等が格納される。また、電源部５７は各駆動回路４２、４８、４９及び制御部４０に接続しており、電力を供給している。
【００５４】
次に、図３を参照し、パーソナルコンピュータ２００の電気的構成について説明する。図３に示すように、パーソナルコンピュータ２００には、パーソナルコンピュータ２００の制御を司るＣＰＵ２１０が設けられている。このＣＰＵ２１０には、バス２９０を介し、ＣＰＵ２１０が実行するＢＩＯＳ等のプログラムを記憶したＲＯＭ２２０、データを一時的に記憶するＲＡＭ２３０、データの記憶媒体であるＣＤ−ＲＯＭ２４１を挿入し、データの読み込みを行うＣＤ−ＲＯＭドライブ２４０、データの記憶装置であるハードディスク装置（以下、ＨＤＤと呼ぶ）２５０、印刷装置１を含めた外部機器との通信を行うためのＵＳＢ（登録商標）インタフェース２６０、利用者に操作画面を表示するためのモニタ２７１の画面表示処理を行う表示制御部２７０、利用者が操作の入力を行うキーボード２８１やマウス２８２が接続され、それらの入力の検知を行う入力検知部２８０が接続されている。なお、パーソナルコンピュータ２００には、図示外のフロッピー（登録商標）ディスクドライブ、音声等の入出力部、各種インタフェースなどが設けられていてもよい。なお、ＣＤ−ＲＯＭ２４１には、印刷データ編集プログラムや、このプログラムの実行時に使用される設定やデータ等が記憶されており、導入時には、ＣＤ−ＲＯＭ２４１からＨＤＤ２５０に設けられたプログラム記憶領域２５０１（図５参照）やプログラム関連情報記憶領域２５０２（図５参照）に記憶されるようになっている。尚、パーソナルコンピュータ２００の印刷データ編集プログラム及びその使用データ等の取得方法はＣＤ−ＲＯＭ２４１によるものに限らず、フロッピー（登録商標）ディスクやＭＯといった他の記録媒体であってもかまわず、また、パーソナルコンピュータ２００をネットワークに接続させ、ネットワーク上の他の端末から取得してもよい。
【００５５】
次に、図４〜図５を参照し、パーソナルコンピュータ２００のＲＡＭ２３０及びＨＤＤ２５０の記憶エリアについて説明する。図４は、ＲＡＭ２３０の記憶エリアを示す模式図であり、図５は、ＨＤＤ２５０の記憶エリアを示す模式図である。
【００５６】
図４に示すように、ＲＡＭ２３０には、背表紙に付される表題等の文字として、後述する文書編集処理（図１０：Ｓ４２９）より入力された情報が記憶される「テキスト記憶領域」２３０１、ラベルが付される物品の数やラベルサイズ等の情報が記憶される「ラベル情報記憶領域」２３０２、ラベルの端部に付される整列配置認識用の図柄（以降「マーク」という。）の位置、大きさ、模様等の情報が記憶される「マーク情報記憶領域」２３０３、実際に印刷される印刷データとして印刷装置１に転送される情報が記憶される「印刷データ記憶領域」２３０４、印刷設定に関する情報が記憶される「印刷設定情報記憶領域」２３０５、プログラム実行中の一時的なデータが記憶される「プログラム実行時情報記憶領域」２３０６等が設けられている。
【００５７】
また、図５に示すように、ＨＤＤ２５０には、印刷データ編集プログラムを始めパーソナルコンピュータ２００で実行される各種プログラムが記憶される「プログラム記憶領域」２５０１、プログラムの実行に必要な設定や初期値等の情報が記憶される「プログラム関連情報記憶領域」２５０２、印刷装置１で使用される印刷媒体に関する情報が記憶される「媒体情報記憶領域」２５０３、等が設けられている。このうち、「プログラム関連情報記憶領域」２５０２は、ＲＡＭ２３０における「ラベル情報記憶領域」２３０２、「マーク情報記憶領域」２３０３、「印刷データ記憶領域」２３０４、「印刷設定情報記憶領域」２３０５の情報が、ファイル名とともに記憶、保存される領域として使用される。
【００５８】
次に、図６を参照し、図４における「ラベル情報記憶領域」２３０２、及び「マーク情報記憶領域」２３０３に記憶される情報の詳細について説明する。図６は、本発明に係る「印刷データ作成装置」により作成されたラベルが実際に複数物品に貼付され、当該物品が整列配置された場合における、ラベルに付されたマークの様子を示したものである。
【００５９】
なお以降においては、以下に記載する事項を前提としている。まず、特に限定のない限り、ラベル３０１が貼付される物品３００の数を「ｎ」とし、これらが水平方向、左側から右側へ順列に整列配置されるものとする。ラベル３０１は幅方向に３分され、幅寸法の１／５の寸法であって右側の領域にはマーク３０２が配置され、幅寸法の１／５の寸法であって左の領域にはマーク３０３が配置され、幅寸法の３／５の寸法であって中央の領域には表題等が配置される（この中央の領域は以後、表題等記入部分と称する。）。また、「印刷データ作成装置」たるパーソナルコンピュータ２００は、マーク３０２が隣接するラベルに付されたマーク３０３に跨って単色四角体の一体形状を形成する、ラベルの中央で分離した図柄３０４（以降、「マーク対」という。）が形成されるよう、マークの位置及び形状を特定し、模様及び色は隣接するラベルどうしで同一とする。また、物品が整列配置された状態における当該マーク対の配置が全体として右肩下がり傾向となるように、マーク対の位置を決定する。なお、物品が整列配置された状態における最左端側（以降、「先頭」という。）及び最右端側（以降、「末尾」という。）のラベルにおける、物品が隣接しない側の端部にはマークを印刷しないこととする。このように定めることにより、マークがラベルに付された表題等の記入部分に重複してしまうことがなく、また、ラベルの貼付された物品が整列配置されているか否かがマーク対の配置を一見しただけで把握できる。加えて、整列配置の先頭と末尾も一見して把握できる。
【００６０】
なお以降、それぞれのラベルを、先頭のラベルからの順番をインデックスとし、「ラベル［１］」、「ラベル［２］」、…、「ラベル［ｎ］」と表記し、それぞれのマーク対を、先頭のマーク対から順に「マーク対［１］」、「マーク対［２］」、…「マーク対［ｎ−１］」と表記する。
【００６１】
ここで、ＲＡＭ２３０中「ラベル情報」２３０２としては、ラベルが貼付される物品数が記憶される「ラベル枚数」２３１１、ラベルの長手方向の寸法３１０が記憶される「ラベル長手サイズ」２３１２、ラベルの短手方向の寸法３１１が記憶される「ラベル短手サイズ」２３１３とがある。
【００６２】
また、ＲＡＭ２３０中「マーク情報記憶領域」２３０３には、マークに関する情報がマーク対ごとに管理される。具体的には、先頭のマーク情報から順に、「マーク情報［１］」２３２１、「マーク情報［２］」２３２２、…「マーク情報［ｎ−１］」２３２３、のように管理される。そしてこれらのマーク対情報は、それぞれ該当するマーク対を構成するマークに関する情報を有する。例えば、「マーク情報［１］」２３２１においては、「マーク対［１］」を構成するマーク（すなわち「ラベル［１］」の右端側マーク３０２及び「ラベル［２］」の左端側マーク３０３）のラベル長手方向上端部からの寸法３４０である「マーク位置［１］」２３２４と、ラベル長手方向におけるマーク寸法３４１である「マーク長手サイズ［１］」２３２５と、ラベル短手方向のマーク寸法３４２、３４３である「マーク短手サイズ［１］」２３２６と、マークの模様種別情報である「マーク模様［１］」２３２７と、マークの色種別情報である「マーク色［１］」２３２８が記憶されている。ここで、ラベル数が「ｎ」の場合、マーク対の総数は「ｎ−１」となる。
【００６３】
なお以降においては、上述の表記方法と併せ、ラベル枚数を「Ｌｃｔ」、ラベル長手サイズを「Ｌｓｌ」、ラベル短手サイズを「Ｌｓｓ」、インデックスを「ｋ」とした場合における「マーク情報［ｋ］」を「Ｍ［ｋ］」、「マーク位置［ｋ］」を「Ｍｐ［ｋ］」、「マーク長手サイズ［ｋ］」を「Ｍｓｌ［ｋ］」、「マーク短手サイズ［ｋ］」を「Ｍｓｓ［ｋ］」、「マーク模様［ｋ］」を「Ｍｍ［ｋ］」、「マーク色［ｋ］」を「Ｍｃ［ｋ］」と表記する。
【００６４】
次に、本発明の要部である、「印刷データ作成装置」であるパーソナルコンピュータ２００が実行する印刷データ作成処理について、以下に説明する。なお、以降に示す画面イメージは、パーソナルコンピュータ２００のモニタ２７１に表示され、キーボード２８１やマウス２８２の操作によりデータ入力や指示が行われる。また、パーソナルコンピュータ２００で作成された後述する背表紙用ラベルの印刷データは、印刷装置１に送られて印刷され、背表紙用ラベルが完成する。
【００６５】
はじめに、図７及び図８を参照し、初期動作について説明する。ここで初期動作は、パーソナルコンピュータ２００が印刷データ作成処理を起動した際に実行される。図７は、パーソナルコンピュータ２００の制御によりモニタ２７１に表示される「初期画面」の画面イメージ図であり、図８は、初期動作処理メインルーティンのフローチャートである。尚、この初期動作処理は、ＣＰＵ２１０により実行される。また、以後のフローチャートに示される処理も同様にＣＰＵ２１０により実行される。
【００６６】
図７及び図８に示すように、初期動作処理では、「新規作成」ボタン４０１、「開く」ボタン４０２、「終了」ボタン４０３、が設けられている「初期画面」４００が表示される（Ｓ４０１）。ここで、ラベル情報やマーク情報がＨＤＤ２５０に保存されていない場合等、新規にラベルの印刷データを作成する場合は、ユーザは「新規作成」ボタン４０１を選択する。「新規作成」ボタン４０１が選択されたと判断した場合（Ｓ４０３：ＹＥＳ）、Ｓ４１１に移行する。Ｓ４１１では、次に「機能選択画面（新規）」（図９参照）が表示される。その後、「機能選択画面（新規）」を介し、各種設定処理や印刷処理を実行する後述する機能選択処理（Ｓ４１５）が実行される。
【００６７】
一方、ラベル情報やマーク情報がＨＤＤ２５０に保存されており、ユーザがラベル追加やラベル削除に伴いこれらの情報の編集を行いたい場合は、「開く」ボタン４０２を選択する。ＣＰＵ２１０により「開く」ボタン４０２が選択されたと判断された場合（Ｓ４０３：ＮＯ、Ｓ４０５：ＹＥＳ）、Ｓ４０９に移行する。Ｓ４０９では、次に、保存情報のファイル名を入力する画面（図示外）にてファイル名が指定されると、指定ファイルが有するラベル情報及びマーク情報がＨＤＤ２５０中「プログラム関連情報記憶領域」２５０２から読み出され、ＲＡＭ２３０中「ラベル情報記憶領域」２３０２及び「マーク情報記憶領域」２３０３にコピーされる（Ｓ４０９）。そして、次に「機能選択画面」（挿入／削除）（図９参照）が表示される（Ｓ４１３）。その後、後述する「機能選択画面（挿入／削除）」を介し、各種設定や印刷処理を選択決定する後述する機能選択処理（Ｓ４１５）が実行される。
【００６８】
また、ユーザは処理のすべてを終了し、印刷データ作成処理を終了しようとする場合は、「終了」ボタン４０３を選択する。ＣＰＵ２１０により「終了」ボタン４０３が選択されたと判断された場合（Ｓ４０５：ＮＯ、Ｓ４０７：ＹＥＳ）、初期画面が閉じられ、処理が終了する。
【００６９】
次に、図９〜１２を参照し、機能選択処理について説明する。ここで機能選択処理とは、「ラベル設定」、「マーク設定」、「背表紙文書編集」、「印刷」のいずれかの機能を選択実行する処理である。図９は、「機能選択画面」の画面イメージ図であり、図１０は、機能選択処理（図８：Ｓ４１５）サブルーティンのフローチャートであり、図１１は、文書編集処理（図１０：Ｓ４２９）サブルーティンのフローチャートであり、図１２は、印刷処理（図１０：Ｓ４３３）サブルーティンのフローチャートである。
【００７０】
図９〜図１２に示すように、機能選択処理では、表示された「機能選択画面」４２０を介し、各種設定処理や印刷処理の選択実行が行われる。ここで「機能選択画面」４２０には、「背表紙マーク設定」ボタン４２５、「文書編集」ボタン４２６、「印刷」ボタン４２７、「閉じる」ボタン４２８、「ラベル設定」入力枠４２１が設けられている。このうち、「ラベル設定」入力枠４２１には、作成するラベルの枚数が入力される「ラベル枚数」入力欄４２２と、作成するラベルの大きさであって、縦の寸法４２３と横の寸法４２４が入力される「ラベルサイズ（縦×横）」入力欄とが設けられている。
【００７１】
ここで、「初期画面」４００（図７）において「新規作成」ボタン４０１が選択されている場合（図８：Ｓ４０３：ＹＥＳ）は、「ラベル設定」入力枠４２１中「ラベル枚数」入力欄４２２及び「ラベルサイズ（縦×横）」入力欄４２３、４２４には何も表示されない（この画面を「機能選択画面（新規）」という。）。一方、「初期画面」４００（図７）において「開く」ボタン４０２が選択されている場合（図８：Ｓ４０３：ＮＯ、Ｓ４０５：ＹＥＳ）は、ＲＡＭ２３０中「ラベル情報記憶領域」２３０２にコピーされている「ラベル枚数」２３１１、「ラベル長手サイズ」２３１２、「ラベル短手サイズ」２３１３の各情報が、「ラベル設定」入力枠４２１中「ラベル枚数」入力欄４２２及び「ラベルサイズ（縦×横）」入力欄４２３、４２４に表示される（この画面を「機能選択画面（挿入／削除）」という。）。
【００７２】
この状態において、ユーザは印刷データ作成処理を終了する場合は、「閉じる」ボタン４２８を選択する。ＣＰＵ２１０により「閉じる」ボタン４２８が選択されたと判断した場合（Ｓ４２１：ＹＥＳ）、「機能選択画面」４２０が閉じられ、機能選択処理サブルーティンを終了してメインルーティン（図８）に戻る。
【００７３】
次に、「ラベル設定」入力枠４２１に設けられている入力欄に何らかの入力データが存在しない状態では、継続する各種処理の実行が不可能であるため、「背表紙マーク設定」ボタン４２５、「文書編集」ボタン４２６、「印刷」ボタン４２７、は選択できないようマスクされており（Ｓ４２１：ＮＯ、Ｓ４２３：ＮＯ）、入力されるまでこの状態が保持される。ここで、ユーザにより何らかのデータが入力欄に入力されたとＣＰＵ２１０によって判断された場合（Ｓ４２１：ＮＯ、Ｓ４２３：ＹＥＳ）には、「背表紙マーク設定」ボタン４２５、「文書編集」ボタン４２６、「印刷」ボタン４２７が有効とされる。なお、「機能選択画面（挿入／削除）」が表示されている場合は自動的にデータが入力欄に入力されているため、これらのボタンは既に有効となっている。また、「ラベル設定」入力枠４２１中「ラベル枚数」入力欄４２２、「ラベルサイズ（縦）」入力蘭４２３、「ラベルサイズ（横）」入力蘭４２４に新たに入力された各データは、それぞれ、ＲＡＭ２３０中「ラベル情報記憶領域」２３０２における「ラベル枚数」２３１１、「ラベル長手サイズ」２３１２、「ラベル短手サイズ」２３１３に記憶される。
【００７４】
この状態において、ユーザはラベルに付される表題等の文字を編集する場合は、「文書編集」ボタン４２６を選択する。ＣＰＵ２１０により「文書編集」ボタン４２６が選択されたと判断された場合（Ｓ４２７：ＹＥＳ）、後述する文字編集処理（Ｓ４２９）に移行する。また、ユーザは印刷データ作成処理により作成した情報を実際にラベルに印刷する場合は、「印刷」ボタン４２７を選択する。ＣＰＵ２１０により「印刷」ボタン４２７が選択されたと判断された場合、（Ｓ４２７：ＮＯ、Ｓ４３１：ＹＥＳ）、後述する印刷処理（Ｓ４３３）に移行する。また、ユーザはラベルに付するマークに関する詳細情報を編集する場合は、「背表紙マーク設定」ボタン４２５を選択する。ＣＰＵ２１０により「背表紙マーク設定」ボタン４２５が選択されたと判断された場合、（Ｓ４３１：ＮＯ、Ｓ４３５：ＹＥＳ）、後述する背表紙マーク設定（Ｓ４３７）に移行する。また、いずれも選択されない状態（Ｓ４３５：ＮＯ）では、ラベル設定入力枠４２１へのデータ入力待ち状態（Ｓ４３９）となっている。
【００７５】
次に、図１１を参照し、ラベルに付される表題等の文字を編集する文字編集処理について詳細に説明する。文書編集処理では、はじめに、ラベルに記載する表題や整理番号等の文字情報を入力する「文書入力画面」（図示外）が表示され（Ｓ４４１）、この状態で文字情報の入力が受け付けられる（Ｓ４４３）。次に、入力された情報がＲＡＭ２３０中「テキスト記憶領域」２３０１に記憶される。この処理はユーザにより「終了」ボタン（図示外）が選択されるまで継続して実行される。ＣＰＵ２１０により「終了」ボタン（図示外）が選択されなかったと判断された場合（Ｓ４４５：ＮＯ）、再び、Ｓ４４３に移行する。一方「終了」ボタンが選択されたと判断された場合（Ｓ４４５：ＹＥＳ）、「文書入力画面」（図示外）が閉じられ、文書編集処理サブルーティンが終了し機能選択処理サブルーティン（図１０）に戻る。
【００７６】
次に、図１２を参照し、印刷媒体に印刷処理を行う印刷処理について説明する。印刷処理では、はじめに、フォント、文字の大きさ、印字特殊効果等、ラベルに印刷を行うために必要な設定情報を入力する「印刷設定画面」（図示外）が表示され（Ｓ４５１）、この状態で設定情報の入力が受け付けられる（Ｓ４５３）。次に、入力された情報がＲＡＭ２３０中「印刷設定情報記憶領域」２３０５に記憶される。次に、整列配置するラベルのすべてを印刷するか、又は編集されたラベルのみを印刷するかの選択を行わせる（Ｓ４５５）。ここで「全ラベル印刷」が選択されたと判断した場合（Ｓ４５５：ＹＥＳ）は、「ラベル枚数」４２２に表示されている枚数分すべてが印刷され、「変更ラベル印刷」が選択されたと判断した場合（Ｓ４５５：ＮＯ）は、挿入／削除処理に伴い変更のあったラベルのみが印刷される（Ｓ４５７）。その後、印刷処理サブルーティンが終了し機能選択処理サブルーティンに戻る。
【００７７】
次に、図１３〜１６を参照し、背表紙設定処理について説明する。ここで背表紙設定処理とは、ラベルに付されるマークの位置を算出する処理である。図１３は、背表紙設定処理（図１０：Ｓ４３７）サブルーティンのフローチャートであり、図１４は、初期のマーク位置を計算する処理（図１３：Ｓ４８７）サブルーティンのフローチャートであり、図１５は、初期マーク位置計算処理における演算時のマーク情報パラメータ詳細を示したものであり、図１６は、「初期マーク設定画面」の画面イメージ図である。
【００７８】
「機能選択画面」４２０（図９）おいてラベルに付されるマーク位置の算出を実行する場合、ユーザが「背表紙マーク設定」ボタン４２５（図９）を選択することにより、図１３の背表紙設定処理が開始される。図１３に示すように、先ず、Ｓ４８１では、「初期画面」４００（図７）において、新規に印刷データ作成処理を行うためにユーザが「新規作成」ボタン４０１を選択したか否かがＣＰＵ２１０により判断される。ユーザが「新規作成」ボタン４０１を選択したとＣＰＵ２１０が判断した場合（Ｓ４８１：ＹＥＳ）は、後述する、新たにマーク情報を作成する初期マーク位置計算処理（Ｓ４８７）が実行され、後述する計算結果が表示され（Ｓ４８９）、Ｓ４９１に移行する。一方、存在するラベル情報及びマーク情報に対してラベルの追加／削除処理を行うために「初期画面」４００（図７）においてユーザが「開く」ボタン４０２を選択した場合、即ち、ユーザが「新規作成」ボタン４０１を選択しなかったとＣＰＵ２１０が判断した場合（Ｓ４８１：ＮＯ）は、後述するラベル情報及びマーク情報の編集を行う挿入／削除位置設定処理（Ｓ４８３）、挿入／削除初期設定処理（Ｓ４８５）が実行され、後述する計算結果が表示される（Ｓ４８９）。その後、Ｓ４９１に移行する。図１６に示す「初期マーク設定画面」５１０では、ユーザが後述する「保存」ボタン５２１を選択することにより作成したラベル情報及びマーク情報に基づく印刷データを保存することができる。Ｓ４９１では、ユーザが「保存」ボタン５２１を選択したか否か、即ち、作成したラベル情報及びマーク情報に基づく印刷データを保存するか否かが判断される。印刷データを保存すると判断した場合（Ｓ４９１：ＹＥＳ）、ファイル名を指定することにより、この時点でＲＡＭ２３０中「ラベル情報記憶領域」２３０２及び「マーク情報記憶領域」２３０３に記憶されているラベル情報及びマーク情報がＨＤＤ２５０にバックアップコピーされ、パーソナルコンピュータ２００の電源ＯＦＦ後も各パラメータの再利用が可能な状態となる。また、「初期マーク設定画面」（図１６）では、ユーザが後述する「キャンセル」ボタン５２２を選択することにより「初期マーク設定画面」で作成したデータを削除することができる。作成したデータを削除する場合（Ｓ４９１：ＮＯ、Ｓ４９３：ＹＥＳ）、ＲＡＭ２３０中「ラベル情報記憶領域」２３０２及び「マーク情報記憶領域」２３０３に記憶されているラベル情報及びマーク情報はバックアップされず、その後背表紙設定処理サブルーティンを終了して機能選択処理サブルーティン（図１０）に戻る。また「初期マーク設定画面」（図１６：５１０）では、ユーザはマークの配置や模様、色等の微調整入力が可能であり、ＣＰＵ２１０はマークの配置や模様、色等の微調整入力を受け付けると（図１３のＳ４９５）、入力データに基づき、表示画面を更新する（Ｓ４９７）。
【００７９】
次に、図１４及び図１５を参照し、図１３のＳ４８７において実行される初期マーク位置計算処理について説明する。既述のように、本実施の形態においては、ラベルに付されるマークは隣接ラベルに付されるマークに跨り連続した図柄であるマーク対５０１０を形成し、かつ、マーク対５０１０の配置が全体として右肩下がり傾向となるようにマークの位置、大きさ等が決定される。さらに、先頭及び末尾のラベルにおける、隣接するラベルが存在しない側の端部にはマークを付さない。
【００８０】
ここで、本処理において算出する初期パラメータを、「マーク縦サイズ」５０１、「マーク横サイズ」５０２、「マーク開始位置」５０５、「マーク終了位置」５０６、「マーク位置」５０７とし、算出に用いるパラメータを、「ラベル縦サイズ」５０３、「ラベル横サイズ」５０４、「ラベル枚数」５０８とする。ここで「マーク縦サイズ」５０１とは、ラベルに付されるマークの縦方向の寸法であり、「マーク横サイズ」５０２とは、ラベルに付されるマークの横方向の寸法である。そしてこれらは、複数ラベルに付されるマークすべて共通の値とする。また、「ラベル縦サイズ」５０３とは、ラベルの長手方向の寸法であり、「ラベル横サイズ」５０４とは、ラベルの短手方向の寸法であり、「マーク開始位置」５０５とは先頭のマーク対「マーク対［１］」のラベル長手方向上端からの寸法であり、「マーク終了位置」５０６とは、末尾のマーク対「マーク対［ｎ−１］」のラベル長手方向上端からの寸法であり、「マーク位置」５０７とは、各マーク対のラベル長手方向上端からの寸法であり、「ラベル枚数」５０８とは、作成するラベルの総数である。
【００８１】
なお以降においては、「マーク縦サイズ」５０１を「Ａ」、「マーク横サイズ」５０２を「Ｂ」、「マーク開始位置」５０５を「Ｃ」、「マーク終了位置」５０６を「Ｄ」、「ラベル縦サイズ５０３」を「Ｅ」、「ラベル横サイズ」５０４を「Ｆ」、「ラベル枚数」５０８を「Ｇ」、先頭から「ｋ」番目のマーク対の「マーク位置」を「Ｈ［ｋ］」とし、数式等を表記する。
【００８２】
ここで、「ラベル縦サイズ」５０３（Ｅ）は既にＲＡＭ２３０中「ラベル情報記憶領域」２３０２に記憶されている「ラベル長手サイズ」２３１２（Ｌｓｌ）と等しく、「ラベル短手サイズ」５０４（Ｆ）はＲＡＭ２３０中「ラベル情報記憶領域」２３０２に記憶されている「ラベル短手サイズ」２３１３（Ｌｓｓ）と等しく、「ラベル枚数」５０８（Ｇ）はＲＡＭ２３０中「ラベル情報記憶領域」２３０２に記憶されている「ラベル枚数」２３１１（Ｌｃｔ）と等しく「ｎ」であり、次式が成立している。
・Ｅ＝Ｌｓｌ
・Ｆ＝Ｌｓｓ
・Ｇ＝Ｌｃｔ  （＝ｎ）
【００８３】
図１４の初期マーク位置計算処理では、はじめに、「マーク縦サイズ」５０１（Ａ）が算出される（Ｓ５０１）。「マーク縦サイズ」５０１（Ａ）は、マーク対どうしで長手方向配置が互いに重複しないように、次式に従い算出される。
・Ａ＝Ｅ／（Ｇ＋１）
【００８４】
次に、「マーク横サイズ」５０２（Ｂ）が算出される（Ｓ５０３）。「マーク横サイズ」５０２（Ｂ）は、ラベルの印刷可能範囲における中心部分に余剰範囲を設け、ラベルに付される表題等記入部分とマークとが重複しないように、次式に従い算出される。
・Ｂ＝Ｆ／５
【００８５】
次に、「マーク開始位置」５０５（Ｃ）が算出される（Ｓ５０５）。「マーク開始位置」５０５（Ｃ）は、末尾のマーク対（「マーク対［ｎ−１］」）のラベル長手方向下端からの寸法と同値となるように、次式に従い算出される。
・Ｃ＝（Ｅ−（Ａ×（Ｇ−１）））／２
【００８６】
次に、「マーク終了位置」５０６（Ｄ）が算出される（Ｓ５０７）。「マーク終了位置」５０６（Ｄ）は、先頭のマーク対（「マーク対［１］」）のラベル長手方向上端からの寸法と同値となるように、下式に従い算出される。
・Ｄ＝Ｅ−（Ｃ＋Ａ）
【００８７】
次に、「マーク位置」５０７（Ｈ［ｋ］）」が算出される（Ｓ５０９）。「マーク位置」５０７（Ｈ［ｋ］）は、先頭位置（「ｋ」＝１）から末尾位置（「ｋ」＝（ｎ−１））迄、マーク対どうしで長手方向位置が互いに重複しないよう、順に下式に従い算出される。
・Ｈ［ｋ］＝Ｃ＋（ｋ−１）×Ａ  （ｋ＝１、２、…（ｎ−１））
【００８８】
上式により、情報のインデックス「ｋ」がマーク対の数である「ｎ−１」となるまで繰り返し計算され（Ｓ５１１：ＮＯ）、すべてのマーク対についてマーク位置の計算が終了することによって（Ｓ５１１：ＹＥＳ）処理が終了される。
【００８９】
以上のようにマーク情報が算出されることにより、左右で隣接するマークどうしがちょうど同等の位置（高さ）で連続した一連のマーク対が形成され、さらに、整列配置された状態においてマーク対が右肩下がり傾向となる。このことにより、マークがラベルに付される表題等記入部分に重複してしまうことがなく、また、ラベルの貼付された物品が整列配置されているか否かがマーク対の配置を一見しただけで把握できるという効果がある。
【００９０】
次に、上述の算出終了後、算出結果がＲＡＭ２３０中「マーク情報記憶領域」２３０３に記憶される。詳細には、次式に従い、「マーク位置」（Ｍｐ）については、マーク対毎に算出したマーク位置（Ｈ［ｋ］）が記憶され、「マーク長手サイズ」（Ｍｓｌ）については、マーク対すべてに「マーク縦サイズ」（Ａ）が記憶され、「マーク短手サイズ」（Ｍｓｓ）については、マーク対すべてに「マーク横サイズ」（Ｂ）が記憶される。
・Ｍｐ［１］＝Ｈ［１］、Ｍｐ［２］＝Ｈ［２］、…Ｍｐ［ｎ−１］＝Ｈ［ｎ−１］
・Ｍｓｌ［１］＝Ａ、Ｍｓｌ［２］＝Ａ、…Ｍｓｌ［ｎ−１］＝Ａ
・Ｍｓｓ［１］＝Ｂ、Ｍｓｓ［２］＝Ｂ、…Ｍｓｓ［ｎ−１］＝Ｂ
【００９１】
さらに、次式に従い、マーク模様「Ｍｍ」及びマーク色「Ｍｃ」の初期データとして「１」が記憶される。
・Ｍｍ［１］＝１、  Ｍｍ［２］＝１、  …Ｍｍ［ｎ−１］＝１
・Ｍｃ［１］＝１、  Ｍｃ［２］＝１、  …Ｍｃ［ｎ−１］＝１
【００９２】
次に、図１６を参照し、初期マーク位置計算（図１３のＳ４８７）が終了した後に表示（Ｓ４８９）される図１６の「初期マーク設定画面」５１０について説明する。「初期マーク設定画面」５１０は、初期マーク位置計算処理（Ｓ４８７）により算出され、ＲＡＭ中「マーク情報記憶領域」２３０３に記憶されたマーク情報を印刷イメージとして確認でき、さらに、手動による調整やマークの模様等詳細情報の変更を行うことができる画面である。（なお、後述する挿入／削除初期設定処理（図１３のＳ４８５）が終了した後においても「初期マーク設定画面」５１０が表示される（図１３のＳ４８９）が、この場合は、ラベルの挿入／削除の結果のマーク情報を印刷イメージとして確認できる。また同様に、手動によるマーク位置の調整やマークの模様等詳細情報の変更ができる。）
【００９３】
「初期マーク設定画面」５１０は、「マーク詳細設定部」５１０１と、「マーク添付イメージ部」５３０とからなる。このうち、「マーク詳細設定部」５１０１は、「マーク開始位置」入力欄５１１、「マーク終了位置」入力欄５１２、「マーク対インデックス」リストボックス５１３、「マーク縦サイズ」入力欄５１４、「マーク横サイズ」入力欄５１５、「上下位置」入力欄５１６、「模様選択」リストボックス５１７、「色選択」リストボックス５１８、「模様詳細」リストボックス５１９、「色詳細」リストボックス５２０、「保存」ボタン５２１、「キャンセル」ボタン５２２、を備える。そして初期値として、ＲＡＭ２３０中「マーク情報記憶領域」２３０３の情報に基づき、「マーク開始位置」５１１には「Ｍｐ［１］」、「マーク終了位置」５１２には「Ｌｓｌ−（Ｍｐ［ｎ−１］＋Ｍｓｌ［ｎ−１］）」、「マーク対インデックス」５１３には「１」、「マーク縦サイズ」５１４には「Ｍｓｌ［１］」、「マーク横サイズ」５１５には「Ｍｓｓ［１］」、「模様選択」５１７には「Ｍｍ［１］」、「色選択」５１８には「Ｍｃ［１］」が表示されている。なお、「上下位置」５１６には「０」が表示されている。さらに、「マーク対インデックス」５１３を「２〜（ｎ−１）」に変更することにより、「マーク縦サイズ」５１４及び「マーク横サイズ」５１５、「模様選択」５１７、「色選択」５１８には、対応するインデックスのマーク情報がそれぞれ表示される。
【００９４】
また、「マーク添付イメージ部」５３０は、「ラベル」５３１及び「マーク」５３２が、ラベル情報、及びマーク情報に従った数量、及び位置にて表示されている。なお、マークの模様及び色については、番号に対応する模様及び色があらかじめ定義されて記憶されている。そして、初期状態においてはそれぞれ「１」に相当する模様及び色がマークとして表示されており、後述する挿入／削除初期設定処理（図１３のＳ４８５）後においては、記憶されているマーク模様（「Ｍｍ［］」）及びマーク色（「Ｍｃ［］」）に相当する模様及び色がマークとして表示されている。また図示のように、上述の初期マーク計算処理により算出されたマークは、隣接するマークに跨り連続したマーク対を形成し、かつ、マーク対の配置が全体として右肩下がり傾向となることにより、マークの付されたラベルの貼付された物品が整列配置されているか否かが一見しただけで把握できる。
【００９５】
また、この状態にてＣＰＵ２１０は、ユーザによる「マーク詳細設定部」５１０１におけるいずれかの入力欄及びリストボックスに対する変更入力を受付け（図１３：Ｓ４９５）、変更のあったパラメータに従い「マーク添付イメージ部」５３０を変更する（図１３：Ｓ４９７）ため、ユーザは画面にて確認しながらの微調整が可能である。また、変更入力に併せて、相当するＲＡＭ２３０中「マーク情報記憶領域」２３０３が変更される。
【００９６】
次に、図１７及び図１８を参照し、図１３のＳ４８３において呼び出される挿入／削除位置設定処理について説明する。ここで挿入／削除位置設定処理とは、「初期画面」４００（図７）において「開く」ボタン４０２（図７）が選択された場合であって、「機能選択画面」４２０（図９）にて「背表紙マーク設定」ボタン４２５（図９）が選択された（図１０：Ｓ４３５：ＹＥＳ）ときに実行される、ラベル追加削除に伴うマーク情報編集処理である。図１７は、挿入／削除位置設定処理サブルーティンのフローチャートであり、図１８は、「挿入／削除位置設定画面」の画面イメージ図である。
【００９７】
図１７に示すように、挿入／削除位置設定処理では、先ず、図１８に示す「挿入／削除位置設定画面」が表示される（Ｓ６０１）。ユーザは「挿入／削除位置設定画面」を介し、新規ラベルの追加や削除を行う。「挿入／削除位置設定画面」６０１は、ラベル６１０に付されたマーク６１１のイメージ図部、「挿入／削除位置指定矢印」６０５、「挿入種別」６０２、「削除種別」６０３、「無設定種別」６０４、「挿入／削除ポイント」６０６、「ＯＫ」ボタン６１２を備えている。このうち、ラベル６１０に付されたマーク６１１は、ＲＡＭ２３０中「ラベル情報記憶領域」２３０２、及び「マーク情報記憶領域」２３０３の情報に従い、場所や色等が定められ、表示されたものである。「挿入／削除位置設定画面」６０１の中央には、ｎ個のラベル６１０が横に並んで配置され、それらの上部には（２ｎ＋２）個の「挿入／削除ポイント」６０６が配置されている。「挿入／削除ポイント」６０６は３色に色分けされており、色に応じて「挿入」・「削除」・「無設定」と機能が分かれている。「挿入種別」６０２、「削除種別」６０３、「無設定種別」６０４はそれぞれ異なる色で色分けされており、その色は「挿入／削除ポイント」６０６の３色と同じである。「挿入種別」６０２、「削除種別」６０３、「無設定種別」６０４は凡例であり、各「挿入／削除ポイント」６０６の機能を知ることができる。ラベル６１０とラベル６１０との境界面間に位置する「挿入／削除ポイント」６０６、左端に位置する「挿入／削除ポイント」６０６、及び、右から２番目に位置する「挿入／削除ポイント」６０６は「挿入」用である。ラベル真上部に位置する「挿入／削除ポイント」６０６は「削除」用である。右端に位置する「挿入／削除ポイント」６０６は、「無設定」用である。「挿入／削除位置指定矢印」６０５は、「挿入／削除ポイント」６０６の何れかを示しているが、「挿入／削除位置設定画面」６０１の表示直後の状態においては、右端の「無設定」用の「挿入／削除ポイント」６０６を示している。
【００９８】
ここで、図１８を参照し、「挿入／削除位置設定画面」６０１においてラベルの挿入／削除位置を決定する方法について説明する。まず、ラベルを新たに挿入する場合は、ユーザはマウス又はキーボードにより、ラベルを挿入する位置に相当する「挿入／削除ポイント」６０６に「挿入／削除位置指定矢印」６０５を移動させる。なおラベル挿入の場合は、ラベルとラベルとの境界面間に位置する「挿入／削除ポイント」６０６のいずれかを選択することとなる。「挿入／削除位置指定矢印」６０５がいずれかの「挿入／削除ポイント」６０６に移動されると、挿入位置が定まる。なお、挿入位置の情報は、マーク対の先頭からのインデックス番号（以降、「挿入位置インデックス」という。）としてＲＡＭ２３０中「プログラム実行時情報記憶領域」２３０６に一時的に記憶される。
【００９９】
また、ラベルを削除する場合は、上述の挿入する場合と同様、ユーザは削除するラベルの位置に相当する「挿入／削除ポイント」６０６に「挿入／削除位置設定矢印」６０５を移動させる。なおラベル削除の場合は、ラベル真上部に位置する「挿入／削除ポイント」６０６のいずれかを選択することとなる。「挿入／削除位置指定矢印」６０５がいずれかの「挿入／削除ポイント」６０６に移動されると、削除位置が定まる。なお、削除位置の情報は、ラベルの先頭からのインデックス番号（以降「削除位置インデックス」という）としてＲＡＭ２３０中「プログラム実行時情報記憶領域」２３０６に一時的に記憶される。
【０１００】
また、ラベルの挿入や削除をしない場合は、ユーザはラベルの上部に複数並んだ「挿入／削除ポイント」６０６の内、一番右端の「無設定」を示す「挿入／削除ポイント」６０６に「挿入／削除位置指定矢印」６０５を移動させる。「挿入／削除位置指定矢印」６０５が右端の「挿入／削除ポイント」６０６に移動されると、「無設定」に定まる。なお、「無設定」との情報は、ＲＡＭ２３０中「プログラム実行時情報記憶領域」２３０６に一時的に記憶される。
【０１０１】
Ｓ６０５では、ＣＰＵ２１０は上述のようなラベルの挿入・削除のための操作を受け付ける。Ｓ６０７では、ＣＰＵ２１０はＳ６０５において受け付けた操作に応じて上述のように画面の表示を更新する。
【０１０２】
なお、挿入／削除位置設定処理は、ユーザにより「ＯＫ」ボタン６１２が選択されたと判断するまで継続する（Ｓ６０３：ＮＯ）。ここで、ユーザは設定情報を保存する場合は、「ＯＫ」ボタン６１２を選択する（Ｓ６０３：ＹＥＳ）。このことにより、挿入／削除位置設定処理（Ｓ４８３）サブルーティンを終了して機能選択処理サブルーティンに戻り、挿入／削除初期設定処理（図１３：Ｓ４８５）が実行される。
【０１０３】
次に、図１９〜３２を参照し挿入／削除初期設定処理について説明する。ここで挿入／削除初期設定処理とは、ラベルを新たに挿入する場合やラベルを削除する場合において、ＲＡＭ２３０中「マーク情報記憶領域」２３０３に記憶されている情報を自動編集する処理である。図１９は、挿入／削除初期設定処理（図１３：Ｓ４８５）サブルーティンのフローチャートであり、図２０は、中間マーク挿入位置設定処理（図１９：Ｓ６４９）サブルーティンのフローチャートであり、図２１、２２は、中間マーク挿入位置設定処理（図１９：Ｓ６４９）後における「初期マーク設定画面」５１０の画面イメージ図の一部である「マーク添付イメージ図」５３０の画面イメージ図であり、図２３は、先頭マーク挿入位置設定処理（図１９：Ｓ６４７）サブルーティンのフローチャートであり、図２４、２５は、先頭マーク挿入位置設定処理（図１９：Ｓ６４７）後における「初期マーク設定画面」５１０の画面イメージ図の一部である「マーク添付イメージ図」５３０の画面イメージ図であり、図２６は、末尾マーク挿入位置設定処理（図１９：Ｓ６４５）サブルーティンのフローチャートであり、図２７、２８は、末尾マーク挿入位置設定処理（図１９：Ｓ６４５）後における「初期マーク設定画面」５１０の画面イメージ図の一部である「マーク添付イメージ図」５３０の画面イメージ図である。また、図２９は、中間マーク削除位置設定処理（図１９：Ｓ７０９）サブルーティンのフローチャートであり、図３０は、中間マーク削除位置設定処理（図１９：Ｓ７０９）後における「初期マーク設定画面」５１０の画面イメージ図の一部である「マーク添付イメージ図」５３０の画面イメージ図であり、図３１は、先頭マーク削除位置設定処理後における「初期マーク設定画面」５１０の画面イメージ図の一部である「マーク添付イメージ図」５３０の画面イメージ図であり、図３２は、末尾マーク削除位置設定処理後における「初期マーク設定画面」５１０の画面イメージ図の一部である「マーク添付イメージ図」５３０の画面イメージ図である。
【０１０４】
はじめに、図１９を参照し、挿入／削除初期設定処理について説明する。図１３のＳ４８５において実行される挿入／削除初期設定処理では、先ず、Ｓ６２０でユーザが「挿入／削除位置設定画面」６０１（図１８）において無設定の操作をしたか否かが判断される。無設定の操作がされたと判断された場合（Ｓ６２０：ＹＥＳ）は、特段の処理は実行されない。無設定の操作がされなかった場合（Ｓ６２０：ＮＯ）、次に、Ｓ６２１でユーザが「挿入／削除位置設定画面」６０１（図１８）においてラベル挿入する操作をしたか否かが判断される。ラベル挿入する操作がされたと判断された場合（Ｓ６２１：ＹＥＳ）はＳ６４１に移行してラベル挿入設定処理（Ｓ６４１乃至Ｓ６４９）が実行され、ラベル挿入する操作がされなかったと判断された場合（Ｓ６２１：ＮＯ）は、Ｓ７０１に移行してラベル削除設定処理（Ｓ７０１乃至Ｓ７０９）が実行される。
【０１０５】
次に、図２０〜図２８を参照し、ラベル挿入設定処理について説明する。ここでラベル挿入設定処理とは、ラベルを新たに挿入する場合において、ＲＡＭ２３０中「マーク情報記憶領域」２３０３が自動編集される処理である。なお本実施の形態においては、新規ラベル挿入後においてもラベルに付されるマークが隣接ラベルに付されるマークに跨り連続したマーク対を形成することを原則とし、可能であれば、マーク対の配置が全体として右肩下がり傾向となるようにマークの位置、大きさ等が決定される。ラベル挿入設定処理（Ｓ６２１：ＹＥＳ）においては、はじめに、ラベル挿入位置が配列状態における中間位置に指定されているか、先頭に指定されているか、末尾に指定されているかが判断される。そして、中間位置が指定されている場合（Ｓ６４１：ＹＥＳ）は、後述する中間マーク挿入位置設定処理（Ｓ６４９）が実行され、先頭が指定されている場合（Ｓ６４１：ＮＯ、Ｓ６４３：ＹＥＳ）は、後述する先頭マーク挿入位置設定処理（Ｓ６４７）が実行され、末尾が指定されている場合（Ｓ６４１：ＮＯ、Ｓ６４３：ＮＯ）は、後述する末尾マーク挿入位置設定処理（Ｓ６４５）が実行される。
【０１０６】
このうち中間マーク挿入位置設定処理（Ｓ６４９）では、図２０に示すように、まずＲＡＭ２３０中「マーク情報記憶領域」２３０３において、新規に挿入するラベルのマーク情報を格納する領域を確保する（Ｓ６６０）。詳細には、ＲＡＭ２３０中「プログラム実行時情報記憶領域」２３０６に一時的に記憶されている「挿入位置インデックス」を「ｘ」とした場合、「ｘ＜ｙ≦ｎ−１」を満たす「ｙ」をインデックスとする「マーク情報［ｙ］」（Ｍ［ｙ］）が、次式に示すように、それぞれ「マーク情報［ｙ＋１］」（Ｍ［ｙ＋１］）の位置に移動される。
・Ｍ［ｙ］→Ｍ［ｙ＋１］  （ｘ＜ｙ≦（ｎ−１））
【０１０７】
次に、ラベル挿入に伴い編集が必要な「マーク情報［ｘ］（Ｍ［ｘ］）」を作成する処理に移行する。ここでは、隣接するマークとの間でマーク対を形成することを原則とし、可能であればマーク対が全体として右肩下がり傾向となるようにマークの位置や大きさ等を算出する。まず、マーク対の右肩下がり傾向を保持しつつ、上記にて領域を確保した「マーク情報［ｘ］」を作成できるか否かの判断が行われる（Ｓ６６１）。判断は、挿入マーク対に隣接することとなる２つのマーク対のマーク位置（Ｍｐ［ｘ＋１］、Ｍｐ［ｘ−１］）の関係をもとに、次式により実行される。
・（Ｍｐ［ｘ＋１］−Ｍｓｌ［ｘ＋１］）≧（Ｍｐ［ｘ−１］）
【０１０８】
ここで、右肩下がり傾向となるマーク対を設定できると判断された場合（Ｓ６６１：ＹＥＳ）、Ｓ６６３に移行し、「マーク位置」（Ｍｐ［ｘ］）を次式のように定め、「マーク情報［ｘ］」としてＲＡＭ２３０中「マーク情報記憶領域」２３０３に記憶する。
・Ｍｐ［ｘ］＝（Ｍｐ［ｘ−１］＋Ｍｐ［ｘ＋１］）／２
【０１０９】
また、「マーク情報［ｘ］」における他の情報（「マーク長手サイズ」（Ｍｓｌ［ｘ］）、「マーク短手サイズ」（Ｍｓｓ［ｘ］）、「マーク模様」（Ｍｍ［ｘ］）、「マーク色」（Ｍｃ［ｘ］））については、挿入マーク対の左端側に隣接することとなるマーク対（「マーク対［ｘ−１］」）と同一とし、次式に従い、ＲＡＭ２３０中「マーク情報記憶領域」２３０３に記憶する。
・Ｍｓｌ［ｘ］＝Ｍｓｌ［ｘ−１］
・Ｍｓｓ［ｘ］＝Ｍｓｓ［ｘ−１］
・Ｍｍ［ｘ］＝Ｍｍ［ｘ−１］
・Ｍｃ［ｘ］＝Ｍｃ［ｘ−１］
【０１１０】
そして、中間マーク挿入位置設定処理サブルーティンが終了され、挿入／削除初期設定サブルーティンに戻る。このようにすることで、隣接するマークに跨った一体のマーク対を形成し、且つマーク対が全体として右肩下がり傾向となっている状態を維持しつつ、新規ラベル追加に伴うマーク情報の編集が可能となる。
【０１１１】
一方、算出するマークに隣接する２つのマーク対のマーク位置が近接しており、右肩下がり傾向とすることができないと判断した場合（Ｓ６６１：ＮＯ）、Ｓ６６５に移行し、「マーク位置」（Ｍｐ［ｘ］）を次式のように定め、「マーク情報［ｘ］」としてＲＡＭ２３０中「マーク情報記憶領域」２３０３に記憶する。
・Ｍｐ［ｘ］＝（Ｍｐ［ｘ−１］−Ｍｓｌ［ｘ−１］）
【０１１２】
また、「マーク情報［ｘ］」における他の情報「マーク長手サイズ」（Ｍｓｌ［ｘ］）、「マーク短手サイズ」（Ｍｓｓ［ｘ］）、「マーク模様」（Ｍｍ［ｘ］）については挿入マーク対の左端側に隣接することとなるマーク対と同一とし、次式に従い、ＲＡＭ２３０中「マーク情報記憶領域」２３０３に記憶する。
・Ｍｓｌ［ｘ］＝Ｍｓｌ［ｘ−１］
・Ｍｓｓ［ｘ］＝Ｍｓｓ［ｘ−１］
・Ｍｍ［ｘ］＝Ｍｃ［ｘ−１］
【０１１３】
ここで、「マーク色」（Ｍｃ［ｘ］）については、隣接するラベルとは異なる色を選択する。理由は、マーク対のマーク位置が他のマーク対のマーク位置と同一となる可能性があるため、物品の整列配置の際、誤った配置をしてしまうことを防止するためである。そして次式に従い、ＲＡＭ２３０中「マーク情報記憶領域」２３０３に記憶する。
・Ｍｃ［ｘ］＝（Ｍｃ［ｘ−１］＋１）
【０１１４】
そして、中間マーク挿入位置設定処理サブルーティンが終了される。このようにすることで、隣接するマークに跨った一体のマーク対を形成しつつ、新規ラベル追加に伴うマーク情報の編集が可能となる。中間マーク挿入位置設定処理サブルーティンの終了後は、図１９の挿入／削除サブルーティンに戻り、そこから図１３の背表紙設定処理に戻る。
【０１１５】
次に、図２１及び２２を参照し、中間マーク挿入位置処理を終了した後、図１３のＳ４８９において表示される「初期マーク設定画面」５１０の画面イメージ図の一部である「マーク添付イメージ図」５３０について説明する。
【０１１６】
まず、図２１を参照し、右肩下がり傾向となるようなマークを設定できると判断した場合（図２０：Ｓ６６１：ＹＥＳ）について説明する。画面中では、ＲＡＭ２３０中「マーク情報記憶領域」２３０３に記憶されている情報に基づき、ラベル６４０、６４１、６４２及びラベルに付されたマーク６４３が示される。加えて、ラベル６４１の挿入によりマーク対６４４が追加されたことに伴い、挿入ラベル６４１と当該ラベルの左端側に隣接するラベル６４０に色が付され、一見してマーク位置に変更のあったラベルが理解できる。次に、図２２を参照し、右肩下がり傾向となるような新規マークを設定できないと判断した場合（図２０：Ｓ６６１：ＮＯ）について説明する。図２１の場合と同様、画面中では、ＲＡＭ２３０中「マーク情報記憶領域」２３０３に記憶されている情報に基づき、ラベル６５０、６５１、６５２及びラベルに付されたマーク６５３が示される。加えて、ラベル６５１の挿入によりマーク対６５４が追加されたことに伴い、挿入ラベル６５１と当該ラベルの左端側に隣接するラベル６５０に色が付され、一見してマーク位置に変更のあったラベルが理解できる。このように、挿入されたラベルと、左端側に隣接するラベルとの２枚を編集するのみで、整列配置されているか否かが一見して把握可能なラベルの編集作成が可能となる。このことは、新規ラベル挿入に伴うラベル印刷を最小に抑えることができるという点で効果的である。
【０１１７】
次に、図２３、図２４、図２５を参照し、ラベル挿入位置が先頭である場合（図１９：Ｓ６４３：ＹＥＳ）における先頭マーク挿入位置設定処理について説明する。図２３に示すように、まず、ＲＡＭ２３０中「マーク情報記憶領域」２３０３において、新規に挿入するラベルのマーク情報を格納する領域を確保する（Ｓ６８０）。詳細には、ＲＡＭ２３０中「プログラム実行時情報記憶領域」２３０６に一時的に記憶されている「挿入位置インデックス」が「１」であるため、「１≦ｙ≦ｎ−１」を満たす「ｙ」をインデックスとする「マーク情報［ｙ］」（Ｍ［ｙ］）が、それぞれ「マーク情報［ｙ＋１］」（Ｍ［ｙ＋１］）の位置に移動される。
・Ｍ［ｙ］→Ｍ［ｙ＋１］  （１≦ｙ≦ｎ−１）
【０１１８】
次に、ラベル挿入に伴い編集が必要な「マーク情報［１］」（Ｍ［１］）」を作成する処理に移行する。ここでは、隣接するマークとの間でマーク対を形成することを原則とし、可能であればマーク対が全体として右肩下がり傾向となるようにマークの位置や大きさ等を算出する。まず、マーク対の右肩下がり傾向を保持しつつ、上記にて領域を確保した「マーク情報［１］」を作成できるか否かの判断が行われる（Ｓ６８１）。判断は、挿入するマーク対の右側に隣接することとなるマーク対の「マーク位置」（Ｍｐ［２］）の関係をもとに、次式に示すように、先頭ラベル上端と先頭マーク対上端との間の間隔にマークが挿入できるか否かが判断されることにより実行される。
・Ｍｐ［２］≧（Ｍｓｌ［２］）
【０１１９】
ここで、右肩下がり傾向となる新規マークを設定できると判断された場合（Ｓ６８１：ＹＥＳ）、Ｓ６８３に移行し、「マーク位置」（Ｍｐ［１］）を次式のように定め、マーク情報［１］」としてＲＡＭ２３０中「マーク情報記憶領域」２３０３に記憶する。
・Ｍｐ［１］＝（Ｍｐ［２］−Ｍｓｌ［２］）
【０１２０】
また、「マーク情報［１］」における他の情報（「マーク長手サイズ」（Ｍｓｌ［１］）、「マーク短手サイズ」（Ｍｓｓ［１］）、「マーク模様」（Ｍｍ［１］）、「マーク色」（Ｍｃ［１］））については、挿入マーク対に隣接することとなる「マーク［２］」と同一とし、ＲＡＭ２３０中「マーク情報記憶領域」２３０３に以下のように記憶する。・Ｍｓｌ［１］＝Ｍｓｌ［２］
・Ｍｓｓ［１］＝Ｍｓｓ［２］
・Ｍｍ［１］＝Ｍｍ［２］
・Ｍｃ［１］＝Ｍｃ［２］
【０１２１】
そして、先頭マーク挿入位置設定処理サブルーティンを終了する。このようにすることで、隣接するマークに跨った一体のマーク対を形成し、且つマーク対が全体として右肩下がり傾向となっている状態を維持しつつ、新規ラベル追加に伴うマーク情報の編集が可能となる。先頭マーク挿入位置設定処理サブルーティンを終了後は、図１９の挿入／削除初期設定サブルーティンに戻り、そこから図１３の背表紙設定処理に戻る。
【０１２２】
一方、先頭ラベル上端と先頭マーク対上端との間の間隔が狭く、右肩下がり傾向とすることができないと判断した場合（Ｓ６８１：ＮＯ）、Ｓ６８５に移行し、「マーク位置」（Ｍｐ［１］）を以下のように定め、「マーク情報［１］」としてＲＡＭ２３０中「マーク情報記憶領域」２３０３に記憶する。
・Ｍｐ［１］＝（Ｍｐ［２］＋Ｍｓｌ［２］）
【０１２３】
また、「マーク情報［１］」における他の情報（「マーク長手サイズ」（Ｍｓｌ［１］）、「マーク短手サイズ」（Ｍｓｓ［１］）、「マーク模様」（Ｍｍ［１］）、「マーク色」（Ｍｃ［１］））については、挿入マーク対に隣接することとなる「マーク対［２］」と同一とし、ＲＡＭ２３０中「マーク情報記憶領域」２３０３に以下のように記憶する。
・Ｍｓｌ［１］＝Ｍｓｌ［２］
・Ｍｓｓ［１］＝Ｍｓｓ［２］
・Ｍｍ［１］＝Ｍｍ［２］
・Ｍｃ［１］＝Ｍｃ［２］
【０１２４】
そして、先頭マーク挿入位置設定処理サブルーティンを終了する。このようにすることで、隣接するマークに跨った一体のマーク対を形成しつつ、新規ラベル追加に伴うマーク情報の編集が可能となる。先頭マーク挿入位置設定処理サブルーティンの終了後は、図１９の挿入／削除初期設定サブルーティンに戻り、そこから図１３の背表紙設定処理に戻る。
【０１２５】
次に、図２４及び２５を参照し、先頭マーク挿入位置処理を終了した後、図１３のＳ４８９において表示される「初期マーク設定画面」５１０の画面イメージ図の一部である「マーク添付イメージ図」５３０について説明する。
【０１２６】
まず、図２４を参照し、右肩下がり傾向となるようなマークを設定できると判断した場合（図２３：Ｓ６８１：ＹＥＳ）について説明する。画面中では、ＲＡＭ２３０中「マーク情報記憶領域」２３０３に記憶されている情報に基づき、ラベル６８０、６８１、６８３及びラベルに付されたマーク６８４が示される。加えて、ラベル６８０の挿入によりマーク対６８５が追加されたことに伴い、挿入ラベル６８０と当該ラベルの右端側に隣接するラベル６８１に色が付され、一見してマーク位置に変更のあったラベルが理解できる。次に、図２５を参照し、右肩下がり傾向となるような新規マークを設定できないと判断した場合（図２３：Ｓ６８１：ＮＯ）について説明する。図２４の場合と同様、画面中では、ＲＡＭ２３０中「マーク情報記憶領域」２３０３に記憶されている情報に基づき、ラベル６９０、６９１及びラベルに付されたマーク６９２が示される。加えて、ラベル６９０の挿入によりマーク対６９３が追加されたことに伴い、挿入ラベル６９０と当該ラベルの右端側に隣接するラベル６９１に色が付され、一見してマーク位置に変更のあったラベルが理解できる。このように、追加した先頭ラベルと、右側に隣接するラベルとの２枚を編集するのみで、整列配置されているか否かが一見して把握可能なラベルの編集作成が可能となる。このことは、新規ラベル追加に伴うラベル印刷を最小に抑えることができるという点で効果的である。
【０１２７】
次に、図２６、図２７、図２８を参照し、ラベル挿入位置が末尾である場合（図１９：Ｓ６４３：ＮＯ）における末尾マーク挿入位置設定処理について説明する。
【０１２８】
はじめに、ラベル挿入に伴い編集が必要な「マーク情報［ｎ］」（Ｍ［ｎ］）を作成する。ここでは、隣接するマークとの間でマーク対を形成することを原則とし、可能であればマーク対が全体として右肩下がり傾向となるようにマークの位置や大きさ等を算出する。まず、マーク情報［ｎ］を設定できるか否かの判断が行われる（Ｓ６９１）。判断は、挿入ラベルに隣接するラベルに付されているマークの「マーク位置」（Ｍｐ［ｎ−１］）をもとに、次式に示すように、末尾ラベル下端と末尾マーク対下端との間の間隔にマークが挿入できるか否かが判断されることにより実行される。
・（Ｌｓｌ−（Ｍｐ［ｎ−１］＋Ｍｓｌ［ｎ−１］）≧Ｍｓｌ［ｎ−１］
【０１２９】
ここで、右肩下がりとなるような新規マークを設定できると判断した場合（Ｓ６９１：ＹＥＳ）、Ｓ６９３に移行し、「マーク情報」（Ｍｐ［ｎ］」を以下のように定め、マーク情報［ｎ］としてＲＡＭ２３０中「マーク情報記憶領域」２３０３に記憶する。
・Ｍｐ［ｎ］＝（Ｍｐ［ｎ−１］＋Ｍｓｌ［ｎ−１］）
【０１３０】
また、「マーク情報［ｎ］」における他の情報（「マーク長手サイズ」（Ｍｓｌ［ｎ］）、「マーク短手サイズ」（Ｍｓｓ［ｎ］）、「マーク模様」（Ｍｍ［ｎ］）、「マーク色」（Ｍｃ［ｎ］））については、挿入マーク対に隣接することとなるマーク対「マーク［ｎ−１］」と同一とし、ＲＡＭ２３０中「マーク情報記憶領域」２３０３に以下のように記憶する。
・Ｍｓｌ［ｎ］＝Ｍｓｌ［ｎ−１］
・Ｍｓｓ［ｎ］＝Ｍｓｓ［ｎ−１］
・Ｍｍ［ｎ］＝Ｍｍ［ｎ−１］
・Ｍｃ［ｎ］＝Ｍｃ［ｎ−１］
【０１３１】
そして、末尾マーク挿入位置設定処理サブルーティンを終了する。このようにすることで、隣接するマークに跨った一体のマーク対を形成し、且つマーク対が全体として右肩下がり傾向となっている状態を維持しつつ、新規ラベル挿入に伴うマーク情報の編集が可能となる。末尾マーク挿入位置設定処理サブルーティンを終了後は、図１９の挿入／削除初期設定サブルーティンに戻り、そこから図１３の背表紙設定処理に戻る。
【０１３２】
一方、末尾ラベル下端と末尾マーク対下端との間の間隔が狭く、右肩下がりとなるような新規マークを設定できないと判断した場合（Ｓ６９１：ＮＯ）、Ｓ６９５に移行し、「マーク位置」（Ｍｐ［ｎ］）を以下のように定め、「マーク情報［ｎ］」としてＲＡＭ２３０中「マーク情報記憶領域」２３０３に記憶する。
・Ｍｐ［ｎ］＝（（Ｍｐ［ｎ−１］−Ｍｓｌ［ｎ−１］）
【０１３３】
また、「マーク情報［ｎ］」における他の情報（「マーク長手サイズ」（Ｍｓｌ［ｎ］）、「マーク短手サイズ」（Ｍｓｓ［ｎ］）、「マーク模様」（Ｍｍ［ｎ］）、「マーク色」（Ｍｃ［ｎ］））については、挿入マーク対に隣接することとなる「マーク［ｎ−１］」と同一とし、ＲＡＭ２３０中「マーク情報記憶領域」２３０３に以下のように記憶する。
・Ｍｓｌ［ｎ］＝Ｍｓｌ［ｎ−１］
・Ｍｓｓ［ｎ］＝Ｍｓｓ［ｎ−１］
・Ｍｍ［ｎ］＝Ｍｍ［ｎ−１］
・Ｍｃ［ｎ］＝Ｍｃ［ｎ−１］
【０１３４】
そして、末尾マーク挿入位置設定処理サブルーティンを終了する。このようにすることで、隣接するマークに跨った一体のマーク対を形成しつつ、新規ラベル追加に伴うマーク情報の編集が可能となる。末尾マーク挿入位置設定処理サブルーティンを終了後は、図１９の挿入／削除初期設定サブルーティンに戻り、そこから図１３の背表紙設定処理に戻る。
【０１３５】
次に、図２７及び２８を参照し、末尾マーク挿入位置処理を終了した後、図１３のＳ４８９において表示される「初期マーク設定画面」５１０の画面イメージ図の一部である「マーク添付イメージ図」５３０について説明する。
【０１３６】
まず、図２７を参照し、右肩下がり傾向となるようなマークを設定できると判断した場合（Ｓ６９１：ＹＥＳ）について説明する。画面中では、ＲＡＭ２３０中「マーク情報記憶領域」２３０３に記憶されている情報に基づき、ラベル６９４、６９５、６９６及びラベルに付されたマーク６９７が示される。加えて、ラベル６９６の挿入によりマーク対６９８が追加されたことに伴い、挿入ラベル６９６と当該ラベルの左端側に隣接するラベル６９５に色が付され、一見してマーク位置に変更のあったラベルが理解できる。次に、図２８を参照し、右肩下がり傾向となるような新規マークを設定できないと判断した場合（Ｓ６９１：ＮＯ）について説明する。図２７の場合と同様、画面中では、ＲＡＭ２３０中「マーク情報記憶領域」２３０３に記憶されている情報に基づき、ラベル６９４０、６９５０、６９６０及びラベルに付されたマーク６９７０が示される。加えて、ラベル６９６０の挿入によりマーク対６９８０が追加されたことに伴い、挿入ラベル６９６０と当該ラベルの左端側に隣接するラベル６９５０に色が付され、一見してマーク位置に変更のあったラベルが理解できる。このように、新規ラベル挿入に伴いこれら２枚のラベルを編集するのみで、整列配置の有無が一見して把握可能なラベルの編集作成が可能となる。このことは、新規ラベル追加に伴うラベル印刷を最小に抑えることができるという点で効果的である。
【０１３７】
次に、図２９〜図３２を参照し、ラベル削除設定処理について説明する。ここでラベル削除設定処理とは、ラベルを削除する場合において、ＲＡＭ２３０中「マーク情報記憶領域」２３０３が自動編集される処理（図１９のＳ７０１乃至Ｓ７０９）である。なお本実施の形態においては、ラベル削除後においても、ラベルに付されるマークが隣接ラベルに付されるマークに跨り連続したマーク対を形成し、且つ、マーク対の配置が全体として右肩下がり傾向となるようにマークの位置、大きさ等が決定される。ラベル削除設定処理（図１９：Ｓ６２１：ＮＯ）においては、はじめに、ラベル削除位置が中間に指定されているか、先頭に指定されているか、末尾に指定されているかが判断される。そして、中間に指定されている場合（図１９：Ｓ７０１：ＹＥＳ）は、後述する中間マーク挿入位置設定処理（図１９：Ｓ７０９）が実行され、先頭に指定されている場合（図１９：Ｓ７０１：ＮＯ、Ｓ７０３：ＹＥＳ）は、後述する先頭マーク削除設定処理（図１９：Ｓ７０７）が実行され、末尾に指定されている場合（図１９：Ｓ７０１：ＮＯ、Ｓ７０３：ＮＯ）は、後述する末尾マーク削除設定処理（図１９：Ｓ７０５）が実行される。
【０１３８】
このうち、削除位置が先頭である場合における先頭マーク削除設定処理においては、ＲＡＭ２３０内「マーク情報記憶領域」２３０３のうち、削除するラベルに付随する情報を消去し、その他のラベル情報を更新する。詳細には、ＲＡＭ２３０中「プログラム実行時情報記憶領域」２３０６に一時的に記憶されている「削除位置インデックス」が「１」であるため、（１＜ｙ≦ｎ−１）を満たす「ｙ」をインデックスとする「マーク情報［ｙ］」（Ｍ［ｙ］）が、それぞれ「マーク情報［ｙ−１］」（Ｍ［ｙ−１］）の位置に移動される。
Ｍ［ｙ］→Ｍ［ｙ−１］  （１＜ｙ≦ｎ−１）
【０１３９】
また、削除位置が末尾である場合における末尾マーク削除設定処理（Ｓ７０５）においては、ＲＡＭ２３０内「マーク情報記憶領域」２３０３の不要な情報を消去する。詳細には、ＲＡＭ２３０中「プログラム実行時情報記憶領域」２３０６に一時的に記憶されている「削除位置インデックス」が「ｎ−１」であるため、「ｎ−１」をインデックスとする「マーク情報［ｎ−１］」を消去する。
【０１４０】
次に、図２９を参照し、削除位置が中間である場合における中間マーク削除位置設定処理の詳細について説明する。中間マーク削除位置設定処理においては、まず、Ｓ７１３においてＲＡＭ２３０内「マーク情報記憶領域」２３０３の情報を更新し、ラベル削除に伴い情報を消去する。詳細には、ＲＡＭ２３０中「プログラム実行時情報記憶領域」２３０６に一時的に記憶されている「削除位置インデックス」を「ｘ」とした場合、「ｘ＜ｙ＜ｎ−１」を満たす「ｙ」をインデックスとする「マーク情報［ｙ］」（Ｍ［ｙ］）が、次式に示すように、それぞれ「マーク情報［ｙ−１］」（Ｍ［ｙ−１］）に移動される。
・Ｍ［ｙ］→Ｍ［ｙ−１］  （ｘ＜ｙ＜ｎ−１）
【０１４１】
次に、ラベル削除に伴い編集が必要な「マーク情報［ｘ］（Ｍ［ｘ］）」を作成する処理に移行する。ここでは、隣接するマークとの間でマーク対を形成することを原則とし、且つ、マーク対が全体として右肩下がり傾向となるようにマークの位置や大きさ等を算出する。具体的には、「マーク情報［ｘ］のマーク位置（Ｍｐ［ｘ］）」を次式に従い書き換える。
・Ｍｐ［ｘ］＝（（Ｍｐ［ｘ−１］＋Ｍｐ［ｘ＋１］）／２
【０１４２】
そして、中間マーク削除位置設定処理サブルーティンを終了する。このようにすることで、隣接するマークに跨った一体のマーク対を形成し、且つマーク対が全体として右肩下がり傾向となっている状態を維持しつつ、ラベル削除に伴うマーク情報の編集が可能となる。中間マーク削除位置設定処理サブルーティンを終了後は、図１９の挿入／削除初期設定サブルーティンに戻り、そこから図１３の背表紙設定処理に戻る。
【０１４３】
次に、図３０〜３２を参照し、挿入／削除処理を終了した後、図１３のＳ４８９において表示される「初期マーク設定画面」５１０の画面イメージ図の一部である「マーク添付イメージ図」５３０について説明する。
【０１４４】
まず、中間ラベルを削除した場合、図３０に示すように、ＲＡＭ２３０中「マーク情報記憶領域」２３０３に記憶されている情報に基づき、ラベル７５０、及び、ラベルに付されたマーク７５１及びマーク７５２が示される。加えて、ラベル削除に伴い、マーク位置に変更のあったラベル（７５０）に色が付され、一見して変更となるラベルが理解できる。
【０１４５】
次に、先頭ラベルを削除した場合、図３１に示すように、ＲＡＭ２３０中「マーク情報記憶領域」２３０３に記憶されている情報に基づき、ラベル７６０及びラベルに付されたマーク７６１が示される。加えて、ラベル削除に伴い、マーク位置に変更のあった先頭ラベル（７６０）に色が付され、一見して変更となるラベルが理解できる。次に、末尾ラベルを削除した場合、図３２に示すように、ＲＡＭ２３０中「マーク情報記憶領域」２３０３に記憶されている情報に基づき、ラベル７７０及びラベルに付されたマーク７７１が示される。加えて、ラベル削除に伴い、マーク位置に変更のあった末尾ラベル（７７０）に色が付され、一見して変更となるラベルが理解できる。このように、削除したラベルに隣接していたラベルにおける、削除したラベル端側のマークを削除するのみで、整列配置されているか否かが一見して把握可能なラベルの編集作成が可能となる。このことは、ラベル削除に伴うラベル印刷を最小に抑えることができるという点で効果的である。
【０１４６】
なお、図７に示す「初期画面」における「新規作成」ボタン４０１、「開く」ボタン４０２、「終了」ボタン４０３、図９に示す「機能選択画面」における「背表紙マーク設定」ボタン４２５、「文書編集」ボタン４２６、「印刷」ボタン４２７、「閉じる」ボタン４２８、「ラベル設定」入力枠４２１、図１６における「初期マーク設定画面」における「マーク詳細設定部」５１０１、図１８に示す「挿入／削除位置設定画面」６０１が「入力手段」に相当し、図７に示す「初期画面」４００、図９に示す「機能選択画面」４２０、図１６に示す「初期マーク設定画面」５１０における「マーク添付イメージ部」５３０、図１８、図２１〜図２２、図２４〜図２５、図２７〜図２８、図３０〜図３２に示す「初期マーク設定画面」５１０における「マーク添付イメージ図」５３０が「表示手段」に該当し、図８に示す新規作成メインルーティン、図１０に示す機能選択処理、図１１に示す文書編集処理、図１２に示す印刷処理、図１７に示す挿入／削除位置設定処理、図１９に示す挿入／削除初期設定処理、図２０に示す中間マーク挿入位置設定処理、図２３に示す先頭マーク挿入位置設定処理、図２６に示す末尾マーク挿入位置設定処理、図２９に示す中間マーク削除位置設定処理が「印刷データ生成手段」に相当する。
【０１４７】
なお、本発明は、以上詳述した実施の形態に限定されるものではなく、種々の変更が可能である。以下に、本発明を適用する実施の形態の変形例について説明する。上記実施の形態は、「印刷装置」として印刷装置１を使用したが、「印刷装置」はロール紙ユニット７０に装填された用紙を印刷するものに限らず、カット紙や連続用紙を印刷する印刷装置であってもよく、印刷媒体である用紙の種類もロール紙に限らず、カット紙、連続用紙、ダイカットラベル、布テープ、ラベルテープ等種々媒体であってもよいことは言うまでもない。また、「印刷データ作成装置」としてパーソナルコンピュータ２００を使用したが、「印刷データ作成装置」はパーソナルコンピュータ２００に限らず、他の形態のコンピュータであってもよい。また、印刷装置にキーボード等の操作部やパネルディスプレイを設け、「印刷データ作成装置」と「印刷装置」とを１つの装置としてもよい。
【０１４８】
また、上記の実施の形態では、複数物品が水平方向、左側から右側へ順列に整列配置されることを想定し、背表紙用印刷媒体として貼付するラベルに付されるマークの位置を算出したが、整列配置の方向はこれに限られず、右側から左側へ順列に整列配置されるものであってもよく、又、垂直方向、上側から下側へ順列に整列配置されるものであってもよいし、垂直方向、下側から上側へ順列に整列配置されるものであってもよい。
【０１４９】
また、上記の実施の形態では、マークが隣接するラベルに付されたマークに跨って単色四角体の一体形状を形成する、ラベルの中央で分離した図柄をマーク対と定めたが、マーク対の形状はこれに限られず、隣接するラベルに付されたマークに跨って一体形状が形成されるという条件を満たしていれば、円形状や三角形状等であってもよい。
【０１５０】
また、上記の実施の形態では、マーク対の配置が全体として右肩下がり傾向となるようにマークの位置を決定したが、右肩下がり傾向に限られず、規則性を有していれば、左肩下がり傾向であってもよいし、山形や谷型、波形等の傾向であってもよい。マーク対の図柄は濃淡のみが規則的に変わったり、マーク縦サイズだけが徐々に変わったり、マークの縦サイズだけが徐々に変わったり、徐々に色目が変わったりしてもよい。マーク対の模様が水玉模様の場合水玉のサイズが徐々に小さくなったり、網目模様の場合網目の密度が徐々に小さくなったりしてもよい。その場合、特にマーク対の配置には変化がなくともよいし、ラベルの長手方向全体に渡る大きさでもよい。
【０１５１】
また、上記の実施の形態では、先頭又は末尾のラベルにおける、物品が隣接しない側の端部にはマークを印刷していないこととしたが、これに限られず、他のマークとは異なる形状、色、模様を有するマークが付されていてもよい。
【０１５２】
また、上記の実施の形態では、挿入処理又は削除処理のいずれかが択一的に実行される処理構成となっているが、これに限られず、挿入処理と削除処理との双方が同時に実行される構成であっても構わない。
【０１５３】
また、上記の実施の形態では、新規ラベルが整列配置された物品における中間に挿入される場合、挿入するラベルと、当該ラベルの左端側に隣接することとなるラベルに付されるマークを編集することとしたが、これらのラベルに限定されるものではなく、挿入するラベルと、当該ラベルの右端側に隣接することとなるラベルに付されるマークを編集することとしてもよいし、当該ラベルの両端に隣接するラベルに付されるマークを編集することとしてもよい。
【０１５４】
また、上記の実施の形態では、図２０の中間マーク挿入位置設定処理や図２３の先頭マーク挿入位置設定処理において、マーク縦サイズを基準にして設定しているがそれに替えてマーク縦サイズの１／２を基準にしてもよい。その場合、例えば、図２０のＳ６６１においては「（ｘ＋１）マーク位置−（マーク縦サイズ）≧（ｘ−１）マーク位置」を判断しているが、「（ｘ＋１）マーク位置−（マーク縦サイズ／２）≧（ｘ−１）マーク位置」を判断することになる。同様に、マーク縦サイズを基準にして設定することに替えてマーク縦サイズの１／３を基準にしてもよい。
【０１５５】
また、上記の実施の形態では、先頭又は末尾のラベルにおける、物品が隣接しない側の端部にはマークを印刷してないことを想定し、挿入／削除設定処理を実行しているが、先頭又は末尾のラベルにおける、物品が隣接しない側の端部に他のマークとは異なる形状、色、模様を有するマークが付されている場合でも、ラベル挿入／削除の際、当該マークを付する処理を追加するのみで、同様の処理によりラベルに付されるマークを編集することができる。
【産業上の利用可能性】
【０１５６】
本発明の印刷データ作成装置は、印刷装置で印刷を行うため印刷データを作成するパーソナルコンピュータ等に利用可能であり、自身で印刷データを作成し印刷する印刷装置においても利用可能である。また、印刷装置は、上記実施の形態のような印刷装置に限らず、インクジェット式印刷装置、レーザー式印刷装置等、種々の印刷方式の印刷装置に適応可能である。
【図面の簡単な説明】
【０１５７】
【図１】印刷装置１のカバー５を開放した斜視図である。
【図２】印刷装置１の電気的構成を示すブロック図である。
【図３】パーソナルコンピュータ２００の電気的構成を示すブロック図である。
【図４】ＲＡＭ２３０の記憶エリアを示す模式図である。
【図５】ＨＤＤ２５０の記憶エリアを示す模式図である。
【図６】ラベルに付されたマークの様子を示す説明図である。
【図７】「初期画面」の画面イメージ図である。
【図８】初期動作処理メインルーティンのフローチャートである。
【図９】「機能選択画面」の画面イメージ図である。
【図１０】機能選択処理サブルーティンのフローチャートである。
【図１１】文書編集処理サブルーティンのフローチャートである。
【図１２】印刷処理サブルーティンのフローチャートである。
【図１３】背表紙設定処理サブルーティンのフローチャートである。
【図１４】初期のマーク位置を計算する処理サブルーティンのフローチャートである    。
【図１５】初期マーク位置計算処理における演算時のマーク情報パラメータを示す説    明図である。
【図１６】「初期マーク設定画面」の画面イメージ図である。
【図１７】挿入／削除位置設定処理サブルーティンのフローチャートを示したもので    ある。
【図１８】「挿入／削除位置設定画面」の画面イメージ図である。
【図１９】挿入／削除初期設定処理サブルーティンのフローチャートである。
【図２０】中間マーク挿入位置設定処理サブルーティンのフローチャートである。
【図２１】中間マーク挿入位置設定処理後における「初期マーク設定画面」の画面イ    メージ図の一部である「マーク添付イメージ図」である。
【図２２】中間マーク挿入位置設定処理後における「初期マーク設定画面」の画面イ    メージ図の一部である「マーク添付イメージ図」である。
【図２３】先頭マーク挿入位置設定処理サブルーティンのフローチャートである。
【図２４】先頭マーク挿入位置設定処理後における「初期マーク設定画面」の画面イ    メージ図の一部である「マーク添付イメージ図」である。
【図２５】先頭マーク挿入位置設定処理後における「初期マーク設定画面」の画面イ    メージ図の一部である「マーク添付イメージ図」である。
【図２６】末尾マーク挿入位置設定処理サブルーティンのフローチャートである。
【図２７】末尾マーク挿入位置設定処理後における「初期マーク設定画面」の画面イ    メージ図の一部である「マーク添付イメージ図」である。
【図２８】末尾マーク挿入位置設定処理後における「初期マーク設定画面」の画面イ    メージ図の一部である「マーク添付イメージ図」である。
【図２９】中間マーク削除位置設定処理サブルーティンのフローチャートである。
【図３０】中間マーク削除位置設定処理後における「初期マーク設定画面」の画面イ    メージ図の一部である「マーク添付イメージ図」である。
【図３１】先頭マーク削除位置設定処理後における「初期マーク設定画面」の画面イ    メージ図の一部である「マーク添付イメージ図」である。
【図３２】末尾マーク削除位置設定処理後における「初期マーク設定画面」の画面イ    メージ図の一部である「マーク添付イメージ図」である。
【符号の説明】
【０１５８】
１    印刷装置
２００    パーソナルコンピュータ
３０１、５３１、６１０、６４０、６４１、６４２、６５０、６５１、６５２、６８０、６８１、６８３、６９０、６９１、６９４、６９５、６９６、６９５０、６９６０、７５０、７６０、７７０    ラベル
３０２、３０３、５３２、６１１、６４３、６５３、６８４、６９２、６９７、６９７０、７５１、７６１、７７１    マーク
３０４、５０１０、６４４、６５４、６８５、６９３、６９８、６９８０    マーク対
４００    初期画面
４２０    機能選択画面
５１０    初期マーク設定画面
６０１    挿入／削除位置設定画面
【図１】
0004941170.tif 000002
【図２】
0004941170.tif 000003
【図３】
0004941170.tif 000004
【図４】
0004941170.tif 000005
【図５】
0004941170.tif 000006
【図６】
0004941170.tif 000007
【図７】
0004941170.tif 000008
【図８】
0004941170.tif 000009
【図９】
0004941170.tif 000010
【図１０】
0004941170.tif 000011
【図１１】
0004941170.tif 000012
【図１２】
0004941170.tif 000013
【図１３】
0004941170.tif 000014
【図１４】
0004941170.tif 000015
【図１５】
0004941170.tif 000016
【図１６】
0004941170.tif 000017
【図１７】
0004941170.tif 000018
【図１８】
0004941170.tif 000019
【図１９】
0004941170.tif 000020
【図２０】
0004941170.tif 000021
【図２１】
0004941170.tif 000022
【図２２】
0004941170.tif 000023
【図２３】
0004941170.tif 000024
【図２４】
0004941170.tif 000025
【図２５】
0004941170.tif 000026
【図２６】
0004941170.tif 000027
【図２７】
0004941170.tif 000028
【図２８】
0004941170.tif 000029
【図２９】
0004941170.tif 000030
【図３０】
0004941170.tif 000031
【図３１】
0004941170.tif 000032
【図３２】
0004941170.tif 000033